(57)【要約】【課題】  顧客に提示する商品の価格を柔軟に決定し、顧客が所持する携帯電話端末に対して表示し、かつ価格表示の対象となる商品ＩＤや顧客ＩＤの顧客による入力の手間を省く。【解決手段】  価格決定パラメタ算出方式コード２３０２が「０２０１０１」の場合は、価格決定手段３２０９は、商品情報記憶部３３３から今回の商品コード３３６００５を含む商品情報２１００を検索し、検索された商品情報から基準売価２１０４を抽出する。取引情報記憶部３３６から今回の携帯端末ＩＤ３３６００１、今回の店舗コード３３６００４並びに今回の商品コード３３６００５を含む取引情報３３６０を検索し、該検索された各取引情報から数量３３６００６を抽出する。抽出された基準売価に対し、抽出された各数量３３６００６を乗じ、該乗算の結果の合計を価格決定パラメタ４１０６０とする。【選択図】図２８
2005063365.tif 000002
【特許請求の範囲】
【請求項１】
店舗に陳列された商品を示す商品コードと、当該商品の基準売価とを含む商品情報が記憶される商品情報記憶手段と、
過去に商品の価格を表示された後に当該商品が購入された場合の当該端末を示す端末ＩＤと、当該商品が陳列された店舗を示す店舗コードと、当該商品を示す商品コードと、購入された数量とを含む取引情報が記憶される取引情報記憶手段と、
前記商品情報記憶手段から、これから価格が表示される商品を示す商品コードを含む商品情報を検索し、該検索された商品情報から基準売価を抽出し、前記取引情報記憶手段から、これから価格を表示される端末の端末ＩＤ、これから価格を表示される商品が陳列された店舗の店舗コード並びにこれから価格を表示される商品の商品コードを含む取引情報を検索し、該検索された取引情報から数量を抽出し、前記抽出された基準売価に対し、前記抽出された数量を乗じ、該乗算の結果の合計を価格決定パラメタとし、該価格決定パラメタに基づいて、これから価格を表示される商品の表示価格を求める価格決定手段と
を備える価格表示制御システム。
【請求項２】
店舗に陳列された商品を示す商品コードと、当該商品の属するカテゴリを示す商品カテゴリコードと、当該商品の基準売価とを含む商品情報が記憶される商品情報記憶手段と、
過去に商品の価格を表示された後に当該商品が購入された場合の当該端末を示す端末ＩＤと、当該商品が陳列された店舗を示す店舗コードと、当該商品の属するカテゴリを示す商品カテゴリコードと、購入された数量とを含む取引情報が記憶される取引情報記憶手段と、
前記商品情報記憶手段から、これから価格が表示される商品を示す商品コードを含む商品情報を検索し、該検索された商品情報から基準売価と商品カテゴリコードとを抽出し、前記取引情報記憶手段から、これから価格を表示される端末の端末ＩＤ、これから価格を表示される商品が陳列された店舗の店舗コード並びに前記抽出した商品カテゴリコードを含む取引情報を検索し、該検索された取引情報から数量を抽出し、前記抽出された基準売価に対し、前記抽出された数量を乗じ、該乗算の結果の合計を価格決定パラメタとし、該価格決定パラメタに基づいて、これから価格を表示される商品の表示価格を求める価格決定手段と
を備える価格表示制御システム。
【請求項３】
店舗に陳列された商品を示す商品コードと、当該商品の基準売価とを含む商品情報が記憶される商品情報記憶手段と、
過去に商品の価格を表示された後に当該商品が購入された場合の当該端末を示す端末ＩＤと、当該商品が陳列された店舗を示す店舗コードと、購入された数量とを含む取引情報が記憶される取引情報記憶手段と、
前記商品情報記憶手段から、これから価格を表示される商品の商品コードを含む商品情報を検索し、該検索された商品情報から基準売価を抽出し、前記取引情報記憶手段から、これから価格を表示される端末の端末ＩＤ並びにこれから価格を表示される商品が陳列された店舗の店舗コードを含む取引情報を検索し、該検索された取引情報から数量を抽出し、前記抽出された基準売価に対し、前記抽出された数量を乗じ、該乗算の結果の合計を価格決定パラメタとし、該価格決定パラメタに基づいて、これから価格を表示される商品の表示価格を求める価格決定手段と
を備える価格表示制御システム。
【請求項４】
過去に商品の価格を表示された後に当該商品が購入された場合の当該端末を示す端末ＩＤと、当該商品が陳列された店舗を示す店舗コードと、当該商品を示す商品コードと、購入された数量とを含む取引情報が記憶される取引情報記憶手段と、
前記取引情報記憶手段から、これから価格を表示される端末の端末ＩＤ、これから価格を表示される商品が陳列された店舗の店舗コード並びにこれから価格を表示される商品の商品コードを含む取引情報を検索し、該検索された取引情報から数量を抽出し、該抽出した数量の合計を価格決定パラメタとし、該価格決定パラメタに基づいて、これから価格を表示される商品の表示価格を求める価格決定手段と
を備える価格表示制御システム。
【請求項５】
店舗に陳列された商品を示す商品コードと、当該商品の属するカテゴリを示す商品カテゴリコードとを含む商品情報が記憶される商品情報記憶手段と、
過去に商品の価格を表示された後に当該商品が購入された場合の当該端末を示す端末ＩＤと、当該商品が陳列された店舗を示す店舗コードと、当該商品の属するカテゴリを示す商品カテゴリコードと、購入された数量とを含む取引情報が記憶される取引情報記憶手段と、
前記商品情報記憶手段から、これから価格が表示される商品を示す商品コードを含む商品情報を検索し、該検索された商品情報から商品カテゴリコードを抽出し、前記取引情報記憶手段から、これから価格を表示される端末の端末ＩＤ、これから価格を表示される商品が陳列された店舗の店舗コード並びに前記抽出した商品カテゴリコードを含む取引情報を検索し、該検索された取引情報から数量を抽出し、該抽出した数量の合計を価格決定パラメタとし、該価格決定パラメタに基づいて、これから価格を表示される商品の表示価格を求める価格決定手段と
を備える価格表示制御システム。
【請求項６】
過去に商品の価格を表示された後に当該商品が購入された場合の当該端末を示す端末ＩＤと、当該商品が陳列された店舗を示す店舗コードと、購入された数量とを含む取引情報が記憶される取引情報記憶手段と、
前記取引情報記憶手段から、これから価格を表示される端末の端末ＩＤ並びにこれから価格を表示される商品が陳列された店舗の店舗コードを含む取引情報を検索し、該検索された取引情報から数量を抽出し、該抽出された数量の合計を価格決定パラメタとし、該価格決定パラメタに基づいて、これから価格を表示される商品の表示価格を求める価格決定手段と
を備える価格表示制御システム。
【請求項７】
過去に商品の価格を表示された後に当該商品が購入された場合の当該端末を示す端末ＩＤと、当該商品が陳列された店舗を示す店舗コードと、当該商品を示す商品コードと、当該商品が購入された時点とを含む取引情報が記憶される取引情報記憶手段と、
前記取引情報記憶手段から、これから価格を表示される端末の端末ＩＤ並びにこれから価格を表示される商品が陳列された店舗の店舗コードを含みかつ商品が購入された時点が直近の取引情報を検索し、該直近の時点から、これから価格を表示される商品についての価格の表示を依頼された時点までの経過時間長を算出し、該経過時間長を価格決定パラメタとし、該価格決定パラメタに基づいて、これから価格を表示される商品の表示価格を求める価格決定手段と
を備える価格表示制御システム。
【請求項８】
過去に商品の価格を表示された後に当該商品が購入された場合の当該端末を示す端末ＩＤと、当該商品が陳列された店舗を示す店舗コードと、当該商品を示す商品コードと、当該商品についての価格の表示を依頼された時点とを含む取引情報が記憶される取引情報記憶手段と、
前記取引情報記憶手段から、これから価格を表示される端末の端末ＩＤ並びにこれから価格を表示される商品が陳列された店舗の店舗コードを含みかつ商品についての価格の表示を依頼された時点が直近の取引情報を検索し、該直近の時点から、これから価格を表示される商品についての価格の表示を依頼された時点までの経過時間長を算出し、該経過時間長を価格決定パラメタとし、該価格決定パラメタに基づいて、これから価格を表示される商品の表示価格を求める価格決定手段と
を備える価格表示制御システム。
【請求項９】
店舗に陳列されるとともに一括購入される複数の商品を示す複数の商品コードを含む一括購入商品コード情報が記憶される一括購入商品コード情報記憶手段と、
過去に商品の価格を表示された後に当該商品が購入された場合の当該端末を示す端末ＩＤと、当該商品が陳列された店舗を示す店舗コードと、当該商品を示す商品コードとを含む取引情報が記憶される取引情報記憶手段と、
前記一括購入商品コード情報記憶手段から、これから価格を表示される商品の商品コードを含む一括購入商品コード情報を検索し、該検索された一括購入商品コード情報を構成する商品コードの全てが、これから価格を表示される複数の商品の商品コードに含まれていれば、所定の２値の一方の値を価格決定パラメタとする一方、含まれていなければ、前記取引情報記憶手段から、これから価格を表示される端末の端末ＩＤ並びにこれから価格を表示される商品が陳列された店舗の店舗コードを含む取引情報を検索し、前記検索された一括購入商品コード情報を構成する商品コードの全てが、当該検索されたいずれかの取引情報に含まれていれば、所定の２値の一方の値を価格決定パラメタとする一方、含まれていなければ所定の２値の他方の値を価格決定パラメタとし、価格決定パラメタに基づいて、これから価格を表示される商品の表示価格を求める価格決定手段と
を備える価格表示制御システム。
【請求項１０】
過去に商品の価格を表示された後に当該商品が購入された場合の当該端末を示す端末ＩＤと、当該商品が陳列された店舗を示す店舗コードと、当該商品を示す商品コードとを含む取引情報が記憶される取引情報記憶手段と、
前記取引情報記憶手段から、これから価格を表示される端末の端末ＩＤ、これから価格を表示される商品が陳列された店舗の店舗コード並びにこれから価格を表示される商品の商品コードを含む取引情報を検索し、該検索された取引情報の数を価格決定パラメタとし、該価格決定パラメタに基づいて、これから価格を表示される商品の表示価格を求める価格決定手段と
を備える価格表示制御システム。
【請求項１１】
店舗に陳列された商品を示す商品コードと、当該商品の属するカテゴリを示す商品カテゴリコードとを含む商品情報が記憶される商品情報記憶手段と、
過去に商品の価格を表示された後に当該商品が購入された場合の当該端末を示す端末ＩＤと、当該商品が陳列された店舗を示す店舗コードと、当該商品の属するカテゴリを示す商品カテゴリコードとを含む取引情報が記憶される取引情報記憶手段と、
前記商品情報記憶手段から、これから価格が表示される商品を示す商品コードを含む商品情報を検索し、該検索された商品情報から商品カテゴリコードを抽出し、前記取引情報記憶手段から、これから価格を表示される端末の端末ＩＤ、これから価格を表示される商品が陳列された店舗の店舗コード並びに前記抽出した商品カテゴリコードを含む取引情報を検索し、該検索された取引情報の数を価格決定パラメタとし、該価格決定パラメタに基づいて、これから価格を表示される商品の表示価格を求める価格決定手段と
を備える価格表示制御システム。
【請求項１２】
過去に商品の価格を表示された後に当該商品が購入された場合の当該端末を示す端末ＩＤと、当該商品が陳列された店舗を示す店舗コードとを含む取引情報が記憶される取引情報記憶手段と、
前記取引情報記憶手段から、これから価格を表示される端末の端末ＩＤ並びにこれから価格を表示される商品が陳列された店舗の店舗コードを含む取引情報を検索し、該検索された取引情報の数を価格決定パラメタとし、該価格決定パラメタに基づいて、これから価格を表示される商品の表示価格を求める価格決定手段と
を備える価格表示制御システム。
【請求項１３】
過去に商品の価格を表示された端末を示す端末ＩＤと、当該商品が陳列された店舗を示す店舗コードと、当該商品を示す商品コードとを含む取引情報が記憶される取引情報記憶手段と、
前記取引情報記憶手段から、これから価格を表示される端末の端末ＩＤ、これから価格を表示される商品が陳列された店舗の店舗コード並びにこれから価格を表示される商品の商品コードを含む取引情報を検索し、該検索された取引情報の数を価格決定パラメタとし、該価格決定パラメタに基づいて、これから価格を表示される商品の表示価格を求める価格決定手段と
を備える価格表示制御システム。
【請求項１４】
前記価格決定手段は、前記取引情報記憶手段を用いずに前記価格決定パラメタを求めることが可能な請求項１ないし１３のいずれかに記載の価格表示制御システム。
【請求項１５】
前記価格決定手段は、これから価格を表示される端末を携行するユーザについての情報である顧客情報に基づいて前記価格決定パラメタを求めることが可能な請求項１ないし１４のいずれかに記載の価格表示制御システム。
【請求項１６】
前記価格決定手段は、予め複数の価格決定パラメタのそれぞれに価格を対応づけた料金表の中の、前記得られた価格決定パラメタに対応する価格を前記表示価格とする請求項１ないし１５のいずれかに記載の価格表示制御システム。
【請求項１７】
前記価格決定手段は、予め複数の価格決定パラメタのそれぞれに比率を対応づけたレート表から、前記得られた価格決定パラメタに対応する比率を抽出し、これから価格を表示される商品の基準売価に対し、当該抽出された比率を乗じ、該乗算結果を前記表示価格とする請求項１ないし１６のいずれかに記載の価格表示制御システム。
【請求項１８】
商品が陳列された店舗に設けられるとともにバーコードで値札を印刷するバーコード印刷手段を備える店舗端末から、前記価格決定パラメタの算出方式を示す価格決定パラメタ算出方式コードが通知された場合に、当該店舗の店舗コード及び当該商品の商品コードを含む値札情報を前記店舗端末に送信する請求項１ないし１７のいずれかに記載の価格表示制御システム。
【請求項１９】
商品が陳列された店舗の店舗コード並びに当該商品の商品コードを含む値札情報をバーコードで印刷されて当該商品につけられた値札からユーザの端末が当該バーコードを読み込みデコードし送信した場合に、当該店舗コード及び商品コードを受信するとともに、当該店舗コード及び商品コードを基に求めた表示価格を当該ユーザの端末に送信して表示させる請求項１ないし１８のいずれかに記載の価格表示制御システム。
【請求項２０】
ユーザの端末に表示された表示価格にて購入する意志が当該端末から通知された場合に当該表示価格を前記店舗端末へ送信する請求項１９記載の価格表示制御システム。
【請求項２１】
請求項１ないし１７のいずれかに記載の価格表示制御システムとともに用いられる店舗端末であって、
バーコードを印刷するバーコード印刷手段と、
前記価格決定パラメタの算出方式を示す価格決定パラメタ算出方式コードを価格表示制御システムに送信するとともに該価格表示制御システムから送信された店舗コードと商品コードとを含む値札情報を前記バーコード印刷手段により印刷させる手段と
を備える店舗端末。
【請求項２２】
店舗に陳列された商品を示す商品コードと、当該商品の基準売価とを含む商品情報が商品情報記憶手段に記憶され、
過去に商品の価格を表示された後に当該商品が購入された場合の当該端末を示す端末ＩＤと、当該商品が陳列された店舗を示す店舗コードと、当該商品を示す商品コードと、購入された数量とを含む取引情報が取引情報記憶手段に記憶されているときに、
コンピュータが、前記商品情報記憶手段から、これから価格が表示される商品を示す商品コードを含む商品情報を検索し、該検索された商品情報から基準売価を抽出し、前記取引情報記憶手段から、これから価格を表示される端末の端末ＩＤ、これから価格を表示される商品が陳列された店舗の店舗コード並びにこれから価格を表示される商品の商品コードを含む取引情報を検索し、該検索された取引情報から数量を抽出し、前記抽出された基準売価に対し、前記抽出された数量を乗じ、該乗算の結果の合計を価格決定パラメタとし、該価格決定パラメタに基づいて、これから価格を表示される商品の表示価格を求める価格表示制御方法。
【請求項２３】
店舗に陳列された商品を示す商品コードと、当該商品の属するカテゴリを示す商品カテゴリコードと、当該商品の基準売価とを含む商品情報が商品情報記憶手段に記憶され、
過去に商品の価格を表示された後に当該商品が購入された場合の当該端末を示す端末ＩＤと、当該商品が陳列された店舗を示す店舗コードと、当該商品の属するカテゴリを示す商品カテゴリコードと、購入された数量とを含む取引情報が取引情報記憶手段に記憶されているときに、
コンピュータが、前記商品情報記憶手段から、これから価格が表示される商品を示す商品コードを含む商品情報を検索し、該検索された商品情報から基準売価と商品カテゴリコードとを抽出し、前記取引情報記憶手段から、これから価格を表示される端末の端末ＩＤ、これから価格を表示される商品が陳列された店舗の店舗コード並びに前記抽出した商品カテゴリコードを含む取引情報を検索し、該検索された取引情報から数量を抽出し、前記抽出された基準売価に対し、前記抽出された数量を乗じ、該乗算の結果の合計を価格決定パラメタとし、該価格決定パラメタに基づいて、これから価格を表示される商品の表示価格を求める価格表示制御方法。
【請求項２４】
店舗に陳列された商品を示す商品コードと、当該商品の基準売価とを含む商品情報が商品情報記憶手段に記憶され、
過去に商品の価格を表示された後に当該商品が購入された場合の当該端末を示す端末ＩＤと、当該商品が陳列された店舗を示す店舗コードと、購入された数量とを含む取引情報が取引情報記憶手段に記憶されているときに、
コンピュータが、前記商品情報記憶手段から、これから価格を表示される商品の商品コードを含む商品情報を検索し、該検索された商品情報から基準売価を抽出し、前記取引情報記憶手段から、これから価格を表示される端末の端末ＩＤ並びにこれから価格を表示される商品が陳列された店舗の店舗コードを含む取引情報を検索し、該検索された取引情報から数量を抽出し、前記抽出された基準売価に対し、前記抽出された数量を乗じ、該乗算の結果の合計を価格決定パラメタとし、該価格決定パラメタに基づいて、これから価格を表示される商品の表示価格を求める価格表示制御方法。
【請求項２５】
過去に商品の価格を表示された後に当該商品が購入された場合の当該端末を示す端末ＩＤと、当該商品が陳列された店舗を示す店舗コードと、当該商品を示す商品コードと、購入された数量とを含む取引情報が取引情報記憶手段に記憶されているときに、
コンピュータが、前記取引情報記憶手段から、これから価格を表示される端末の端末ＩＤ、これから価格を表示される商品が陳列された店舗の店舗コード並びにこれから価格を表示される商品の商品コードを含む取引情報を検索し、該検索された取引情報から数量を抽出し、該抽出した数量の合計を価格決定パラメタとし、該価格決定パラメタに基づいて、これから価格を表示される商品の表示価格を求める価格表示制御方法。
【請求項２６】
店舗に陳列された商品を示す商品コードと、当該商品の属するカテゴリを示す商品カテゴリコードとを含む商品情報が商品情報記憶手段に記憶され、
過去に商品の価格を表示された後に当該商品が購入された場合の当該端末を示す端末ＩＤと、当該商品が陳列された店舗を示す店舗コードと、当該商品の属するカテゴリを示す商品カテゴリコードと、購入された数量とを含む取引情報が取引情報記憶手段に記憶されているときに、
コンピュータが、前記商品情報記憶手段から、これから価格が表示される商品を示す商品コードを含む商品情報を検索し、該検索された商品情報から商品カテゴリコードを抽出し、前記取引情報記憶手段から、これから価格を表示される端末の端末ＩＤ、これから価格を表示される商品が陳列された店舗の店舗コード並びに前記抽出した商品カテゴリコードを含む取引情報を検索し、該検索された取引情報から数量を抽出し、該抽出した数量の合計を価格決定パラメタとし、該価格決定パラメタに基づいて、これから価格を表示される商品の表示価格を求める価格表示制御方法。
【請求項２７】
過去に商品の価格を表示された後に当該商品が購入された場合の当該端末を示す端末ＩＤと、当該商品が陳列された店舗を示す店舗コードと、購入された数量とを含む取引情報が取引情報記憶手段に記憶されているときに、
コンピュータが、前記取引情報記憶手段から、これから価格を表示される端末の端末ＩＤ並びにこれから価格を表示される商品が陳列された店舗の店舗コードを含む取引情報を検索し、該検索された取引情報から数量を抽出し、該抽出された数量の合計を価格決定パラメタとし、該価格決定パラメタに基づいて、これから価格を表示される商品の表示価格を求める価格表示制御方法。
【請求項２８】
過去に商品の価格を表示された後に当該商品が購入された場合の当該端末を示す端末ＩＤと、当該商品が陳列された店舗を示す店舗コードと、当該商品を示す商品コードと、当該商品が購入された時点とを含む取引情報が取引情報記憶手段に記憶されているときに、
コンピュータが、前記取引情報記憶手段から、これから価格を表示される端末の端末ＩＤ並びにこれから価格を表示される商品が陳列された店舗の店舗コードを含みかつ商品が購入された時点が直近の取引情報を検索し、該直近の時点から、これから価格を表示される商品についての価格の表示を依頼された時点までの経過時間長を算出し、該経過時間長を価格決定パラメタとし、該価格決定パラメタに基づいて、これから価格を表示される商品の表示価格を求める価格表示制御方法。
【請求項２９】
過去に商品の価格を表示された後に当該商品が購入された場合の当該端末を示す端末ＩＤと、当該商品が陳列された店舗を示す店舗コードと、当該商品を示す商品コードと、当該商品についての価格の表示を依頼された時点とを含む取引情報が取引情報記憶手段に記憶されているときに、
コンピュータが、前記取引情報記憶手段から、これから価格を表示される端末の端末ＩＤ並びにこれから価格を表示される商品が陳列された店舗の店舗コードを含みかつ商品についての価格の表示を依頼された時点が直近の取引情報を検索し、該直近の時点から、これから価格を表示される商品についての価格の表示を依頼された時点までの経過時間長を算出し、該経過時間長を価格決定パラメタとし、該価格決定パラメタに基づいて、これから価格を表示される商品の表示価格を求める価格表示制御方法。
【請求項３０】
店舗に陳列されるとともに一括購入される複数の商品を示す複数の商品コードを含む一括購入商品コード情報が一括購入商品コード情報記憶手段に記憶され、  過去に商品の価格を表示された後に当該商品が購入された場合の当該端末を示す端末ＩＤと、当該商品が陳列された店舗を示す店舗コードと、当該商品を示す商品コードとを含む取引情報が取引情報記憶手段に記憶されているときに、
コンピュータが、前記一括購入商品コード情報記憶手段から、これから価格を表示される商品の商品コードを含む一括購入商品コード情報を検索し、該検索された一括購入商品コード情報を構成する商品コードの全てが、これから価格を表示される複数の商品の商品コードに含まれていれば、所定の２値の一方の値を価格決定パラメタとする一方、含まれていなければ、前記取引情報記憶手段から、これから価格を表示される端末の端末ＩＤ並びにこれから価格を表示される商品が陳列された店舗の店舗コードを含む取引情報を検索し、前記検索された一括購入商品コード情報を構成する商品コードの全てが、当該検索されたいずれかの取引情報に含まれていれば、所定の２値の一方の値を価格決定パラメタとする一方、含まれていなければ所定の２値の他方の値を価格決定パラメタとし、価格決定パラメタに基づいて、これから価格を表示される商品の表示価格を求める価格表示制御方法。
【請求項３１】
過去に商品の価格を表示された後に当該商品が購入された場合の当該端末を示す端末ＩＤと、当該商品が陳列された店舗を示す店舗コードと、当該商品を示す商品コードとを含む取引情報が取引情報記憶手段に記憶されているときに、
コンピュータが、前記取引情報記憶手段から、これから価格を表示される端末の端末ＩＤ、これから価格を表示される商品が陳列された店舗の店舗コード並びにこれから価格を表示される商品の商品コードを含む取引情報を検索し、該検索された取引情報の数を価格決定パラメタとし、該価格決定パラメタに基づいて、これから価格を表示される商品の表示価格を求める価格表示制御方法。
【請求項３２】
店舗に陳列された商品を示す商品コードと、当該商品の属するカテゴリを示す商品カテゴリコードとを含む商品情報が商品情報記憶手段に記憶され、
過去に商品の価格を表示された後に当該商品が購入された場合の当該端末を示す端末ＩＤと、当該商品が陳列された店舗を示す店舗コードと、当該商品の属するカテゴリを示す商品カテゴリコードとを含む取引情報が取引情報記憶手段に記憶されているときに、
コンピュータが、前記商品情報記憶手段から、これから価格が表示される商品を示す商品コードを含む商品情報を検索し、該検索された商品情報から商品カテゴリコードを抽出し、前記取引情報記憶手段から、これから価格を表示される端末の端末ＩＤ、これから価格を表示される商品が陳列された店舗の店舗コード並びに前記抽出した商品カテゴリコードを含む取引情報を検索し、該検索された取引情報の数を価格決定パラメタとし、該価格決定パラメタに基づいて、これから価格を表示される商品の表示価格を求める価格表示制御方法。
【請求項３３】
過去に商品の価格を表示された後に当該商品が購入された場合の当該端末を示す端末ＩＤと、当該商品が陳列された店舗を示す店舗コードとを含む取引情報が取引情報記憶手段に記憶されているときに、
コンピュータが、前記取引情報記憶手段から、これから価格を表示される端末の端末ＩＤ並びにこれから価格を表示される商品が陳列された店舗の店舗コードを含む取引情報を検索し、該検索された取引情報の数を価格決定パラメタとし、該価格決定パラメタに基づいて、これから価格を表示される商品の表示価格を求める価格表示制御方法。
【請求項３４】
過去に商品の価格を表示された端末を示す端末ＩＤと、当該商品が陳列された店舗を示す店舗コードと、当該商品を示す商品コードとを含む取引情報が取引情報記憶手段に記憶されているときに、
コンピュータが、前記取引情報記憶手段から、これから価格を表示される端末の端末ＩＤ、これから価格を表示される商品が陳列された店舗の店舗コード並びにこれから価格を表示される商品の商品コードを含む取引情報を検索し、該検索された取引情報の数を価格決定パラメタとし、該価格決定パラメタに基づいて、これから価格を表示される商品の表示価格を求める価格表示制御方法。
【請求項３５】
請求項２２ないし３４のいずれかの価格表示制御方法を実行させるコンピュータプログラム。
【請求項３６】
請求項２２ないし３４のいずれかの価格表示制御方法を実行させるコンピュータプログラムが格納された記録媒体。
【発明の詳細な説明】
【技術分野】
【０００１】
本発明は、店舗に陳列される商品の価格表示を制御する価格表示制御システムに関するものである。
【背景技術】
【０００２】
従来の実店舗での商品販売では、顧客への商品価格の提示を、紙やプラスチックに印刷した値札を用いることで行っている。また、特許文献１には、時刻ごと、在庫数ごとの価格を管理し、顧客端末からの価格参照リクエストに対して、要求時点での価格を提示するシステムが記載されている。また、商品の在庫状況、予約状況、販売状況から価格決定を行うシステムが、特許文献２，３，４に記載されている。
【特許文献１】特願２００１−３１２６０８号公報
【特許文献２】特願２００２−１３３０７４号公報
【特許文献３】特願２００２−１１７２１０号公報
【特許文献４】特願２００２−１９７５４０号公報
【発明の開示】
【発明が解決しようとする課題】
【０００３】
店舗には、顧客一人一人のニーズを把握し、一人一人の顧客と店舗間の関係を長期にわたり維持することで、顧客の生涯価値（一人の顧客がある商品について一生涯で支払うお金）を獲得し店舗の売上を伸ばす、いわゆるワンツーワンマーケッティングを展開することが求められつつある。その実現に必要な一要素として、個々の顧客の顧客情報や取引履歴を管理し、個々の顧客に応じた価格を、柔軟に、顧客が商品に興味を持ったタイミングでタイムリーに提示することが求められている。
【０００４】
例えば、過去の購入金額が一定額に達した顧客に、通常価格の８０％の価格を提示することや、直近の来店から一定期間以上が過ぎている顧客に、通常価格の８０％の価格を提示することは、その場においての顧客への商品の販売機会を高めるとともに、顧客の固定化にも有効である。
【０００５】
また、一方でそうした価格を個々の顧客に提示するのに、価格の問い合わせがあってから顧客情報や取引履歴を人手で調べてから回答していたのでは、価格を提示するための時間が長くなり、顧客の購入意欲を減退させてしまう。
【０００６】
このように、ワンツーワンマーケッティングを行う上では、顧客一人一人に向けた価格を、店舗側が顧客情報や取引履歴情報の様々な組み合わせに基づいて柔軟に行えること、また、その価格を顧客が参照する手間が少なく、販売機会を逃さないことが求められる。
【０００７】
また、店舗の商品に対する価格設定とそれが売上にもたらす影響の観点からは、同一の商品に対して複数の価格設定を行い、商品の値ごろ感の異なる複数の顧客セグメントに対して販売することは、店舗の売上を最大化する上で重要である。
【０００８】
これに対して、従来の紙に印刷した値札では、基本的に１つの価格設定しか行うことができず、また値札の価格変更を行うためには、新たに値札を印刷し、商品に貼り付ける必要があるため、多大なコストが発生してしまう点で問題があった。このため、個々の顧客ごとに異なる価格提示を行うことが基本的にはできず、店舗による価格の変更は、在庫処理目的のバーゲンセール時に、一括して固定的に値札を書き換える程度にとどまっていた。また例外的に、熟練した店員が、個々の顧客の情報や取引履歴を記憶することで、得意顧客に対して割引等の価格提示を行っているが、必ずしも正確ではなく、必要以上に安い価格設定を行ってしまう点で問題があった。また、そのような顧客対応は、熟練した店員にしか期待できず、顧客の情報や取引履歴に明るくないアルバイトなどの臨時雇いの店員には期待することができなかった。
【０００９】
また、特許文献１〜４の発明では、電子的に価格表示を行う点でコストを低く抑えることができるが、表示される価格が、商品の在庫状況、予約状況、販売状況のみ基づいているため、顧客との関係構築を図る上で十分な柔軟性を持ち、顧客情報や過去の取引情報に基づいた顧客にとって魅力的な価格を、個々の顧客ごとに提示できているとは言えない点で問題があった。
【００１０】
本発明は、以上のような問題を解決するためになされたものであり、実店舗における商品の販売において、顧客に提示する商品の価格を、顧客情報や過去の取引情報に基づいて、個々の顧客ごとに柔軟に決定し、決定した価格の提示を、顧客が所持する携帯電話端末に対して行い、かつ価格表示の対象となる商品ＩＤや顧客ＩＤの顧客による入力の手間を省くことに寄与することができる価格表示制御システムを提供することにある。
【課題を解決するための手段】
【００１１】
上記従来の課題を解決するために、請求項１の本発明は、店舗に陳列された商品を示す商品コードと、当該商品の基準売価とを含む商品情報が記憶される商品情報記憶手段と、過去に商品の価格を表示された後に当該商品が購入された場合の当該端末を示す端末ＩＤと、当該商品が陳列された店舗を示す店舗コードと、当該商品を示す商品コードと、購入された数量とを含む取引情報が記憶される取引情報記憶手段と、前記商品情報記憶手段から、これから価格が表示される商品を示す商品コードを含む商品情報を検索し、該検索された商品情報から基準売価を抽出し、前記取引情報記憶手段から、これから価格を表示される端末の端末ＩＤ、これから価格を表示される商品が陳列された店舗の店舗コード並びにこれから価格を表示される商品の商品コードを含む取引情報を検索し、該検索された取引情報から数量を抽出し、前記抽出された基準売価に対し、前記抽出された数量を乗じ、該乗算の結果の合計を価格決定パラメタとし、該価格決定パラメタに基づいて、これから価格を表示される商品の表示価格を求める価格決定手段とを備える価格表示制御システムをもって解決手段とする。
【００１２】
請求項１の本発明によれば、これから価格が表示される商品を示す商品コードを含む商品情報を検索し、該検索された商品情報から基準売価を抽出し、これから価格を表示される端末の端末ＩＤ、これから価格を表示される商品が陳列された店舗の店舗コード並びにこれから価格を表示される商品の商品コードを含む取引情報を検索し、該検索された取引情報から数量を抽出し、前記抽出された基準売価に対し、前記抽出された数量を乗じ、該乗算の結果の合計を価格決定パラメタとするので、過去の同一商品の購入金額合計により表示価格を決めることができる。
【００１３】
請求項２の本発明は、店舗に陳列された商品を示す商品コードと、当該商品の属するカテゴリを示す商品カテゴリコードと、当該商品の基準売価とを含む商品情報が記憶される商品情報記憶手段と、過去に商品の価格を表示された後に当該商品が購入された場合の当該端末を示す端末ＩＤと、当該商品が陳列された店舗を示す店舗コードと、当該商品の属するカテゴリを示す商品カテゴリコードと、購入された数量とを含む取引情報が記憶される取引情報記憶手段と、前記商品情報記憶手段から、これから価格が表示される商品を示す商品コードを含む商品情報を検索し、該検索された商品情報から基準売価と商品カテゴリコードとを抽出し、前記取引情報記憶手段から、これから価格を表示される端末の端末ＩＤ、これから価格を表示される商品が陳列された店舗の店舗コード並びに前記抽出した商品カテゴリコードを含む取引情報を検索し、該検索された取引情報から数量を抽出し、前記抽出された基準売価に対し、前記抽出された数量を乗じ、該乗算の結果の合計を価格決定パラメタとし、該価格決定パラメタに基づいて、これから価格を表示される商品の表示価格を求める価格決定手段とを備える価格表示制御システムをもって解決手段とする。
【００１４】
請求項２の本発明によれば、これから価格が表示される商品を示す商品コードを含む商品情報を検索し、該検索された商品情報から基準売価と商品カテゴリコードとを抽出し、これから価格を表示される端末の端末ＩＤ、これから価格を表示される商品が陳列された店舗の店舗コード並びに前記抽出した商品カテゴリコードを含む取引情報を検索し、該検索された取引情報から数量を抽出し、前記抽出された基準売価に対し、前記抽出された数量を乗じ、該乗算の結果の合計を価格決定パラメタとするので、過去の同一商品カテゴリの購入金額合計により表示価格を決めることができる。
【００１５】
請求項３の本発明は、店舗に陳列された商品を示す商品コードと、当該商品の基準売価とを含む商品情報が記憶される商品情報記憶手段と、過去に商品の価格を表示された後に当該商品が購入された場合の当該端末を示す端末ＩＤと、当該商品が陳列された店舗を示す店舗コードと、購入された数量とを含む取引情報が記憶される取引情報記憶手段と、前記商品情報記憶手段から、これから価格を表示される商品の商品コードを含む商品情報を検索し、該検索された商品情報から基準売価を抽出し、前記取引情報記憶手段から、これから価格を表示される端末の端末ＩＤ並びにこれから価格を表示される商品が陳列された店舗の店舗コードを含む取引情報を検索し、該検索された取引情報から数量を抽出し、前記抽出された基準売価に対し、前記抽出された数量を乗じ、該乗算の結果の合計を価格決定パラメタとし、該価格決定パラメタに基づいて、これから価格を表示される商品の表示価格を求める価格決定手段とを備える価格表示制御システムをもって解決手段とする。
【００１６】
請求項３の本発明によれば、これから価格を表示される商品の商品コードを含む商品情報を検索し、該検索された商品情報から基準売価を抽出し、これから価格を表示される端末の端末ＩＤ並びにこれから価格を表示される商品が陳列された店舗の店舗コードを含む取引情報を検索し、該検索された取引情報から数量を抽出し、前記抽出された基準売価に対し、前記抽出された数量を乗じ、該乗算の結果の合計を価格決定パラメタとするので、過去の店舗単位での購入金額合計により表示価格を決めることができる。
【００１７】
請求項４の本発明は、過去に商品の価格を表示された後に当該商品が購入された場合の当該端末を示す端末ＩＤと、当該商品が陳列された店舗を示す店舗コードと、当該商品を示す商品コードと、購入された数量とを含む取引情報が記憶される取引情報記憶手段と、前記取引情報記憶手段から、これから価格を表示される端末の端末ＩＤ、これから価格を表示される商品が陳列された店舗の店舗コード並びにこれから価格を表示される商品の商品コードを含む取引情報を検索し、該検索された取引情報から数量を抽出し、該抽出した数量の合計を価格決定パラメタとし、該価格決定パラメタに基づいて、これから価格を表示される商品の表示価格を求める価格決定手段とを備える価格表示制御システムをもって解決手段とする。
【００１８】
請求項４の本発明によれば、これから価格を表示される端末の端末ＩＤ、これから価格を表示される商品が陳列された店舗の店舗コード並びにこれから価格を表示される商品の商品コードを含む取引情報を検索し、該検索された取引情報から数量を抽出し、該抽出した数量の合計を価格決定パラメタとするので、過去の同一商品の購入数量合計により表示価格を決めることができる。
【００１９】
請求項５の本発明は、店舗に陳列された商品を示す商品コードと、当該商品の属するカテゴリを示す商品カテゴリコードとを含む商品情報が記憶される商品情報記憶手段と、過去に商品の価格を表示された後に当該商品が購入された場合の当該端末を示す端末ＩＤと、当該商品が陳列された店舗を示す店舗コードと、当該商品の属するカテゴリを示す商品カテゴリコードと、購入された数量とを含む取引情報が記憶される取引情報記憶手段と、前記商品情報記憶手段から、これから価格が表示される商品を示す商品コードを含む商品情報を検索し、該検索された商品情報から商品カテゴリコードを抽出し、前記取引情報記憶手段から、これから価格を表示される端末の端末ＩＤ、これから価格を表示される商品が陳列された店舗の店舗コード並びに前記抽出した商品カテゴリコードを含む取引情報を検索し、該検索された取引情報から数量を抽出し、該抽出した数量の合計を価格決定パラメタとし、該価格決定パラメタに基づいて、これから価格を表示される商品の表示価格を求める価格決定手段とを備える価格表示制御システムをもって解決手段とする。
【００２０】
請求項５の本発明によれば、これから価格が表示される商品を示す商品コードを含む商品情報を検索し、該検索された商品情報から商品カテゴリコードを抽出し、これから価格を表示される端末の端末ＩＤ、これから価格を表示される商品が陳列された店舗の店舗コード並びに前記抽出した商品カテゴリコードを含む取引情報を検索し、該検索された取引情報から数量を抽出し、該抽出した数量の合計を価格決定パラメタとするので、過去の同一商品カテゴリの購入数量合計により表示価格を決めることができる。
【００２１】
請求項６の本発明は、過去に商品の価格を表示された後に当該商品が購入された場合の当該端末を示す端末ＩＤと、当該商品が陳列された店舗を示す店舗コードと、購入された数量とを含む取引情報が記憶される取引情報記憶手段と、前記取引情報記憶手段から、これから価格を表示される端末の端末ＩＤ並びにこれから価格を表示される商品が陳列された店舗の店舗コードを含む取引情報を検索し、該検索された取引情報から数量を抽出し、該抽出された数量の合計を価格決定パラメタとし、該価格決定パラメタに基づいて、これから価格を表示される商品の表示価格を求める価格決定手段とを備える価格表示制御システムをもって解決手段とする。
【００２２】
請求項６の本発明によれば、これから価格を表示される端末の端末ＩＤ並びにこれから価格を表示される商品が陳列された店舗の店舗コードを含む取引情報を検索し、該検索された取引情報から数量を抽出し、該抽出された数量の合計を価格決定パラメタとするので、過去の店舗単位での購入数量合計により表示価格を決めることができる。
【００２３】
請求項７の本発明は、過去に商品の価格を表示された後に当該商品が購入された場合の当該端末を示す端末ＩＤと、当該商品が陳列された店舗を示す店舗コードと、当該商品を示す商品コードと、当該商品が購入された時点とを含む取引情報が記憶される取引情報記憶手段と、前記取引情報記憶手段から、これから価格を表示される端末の端末ＩＤ並びにこれから価格を表示される商品が陳列された店舗の店舗コードを含みかつ商品が購入された時点が直近の取引情報を検索し、該直近の時点から、これから価格を表示される商品についての価格の表示を依頼された時点までの経過時間長を算出し、該経過時間長を価格決定パラメタとし、該価格決定パラメタに基づいて、これから価格を表示される商品の表示価格を求める価格決定手段とを備える価格表示制御システムをもって解決手段とする。
【００２４】
請求項７の本発明によれば、これから価格を表示される端末の端末ＩＤ並びにこれから価格を表示される商品が陳列された店舗の店舗コードを含みかつ商品が購入された時点が直近の取引情報を検索し、該直近の時点から、これから価格を表示される商品についての価格の表示を依頼された時点までの経過時間長を算出し、該経過時間長を価格決定パラメタとするので、前回購入からの経過時間長により表示価格を決めることができる。
【００２５】
請求項８の本発明は、過去に商品の価格を表示された後に当該商品が購入された場合の当該端末を示す端末ＩＤと、当該商品が陳列された店舗を示す店舗コードと、当該商品を示す商品コードと、当該商品についての価格の表示を依頼された時点とを含む取引情報が記憶される取引情報記憶手段と、前記取引情報記憶手段から、これから価格を表示される端末の端末ＩＤ並びにこれから価格を表示される商品が陳列された店舗の店舗コードを含みかつ商品についての価格の表示を依頼された時点が直近の取引情報を検索し、該直近の時点から、これから価格を表示される商品についての価格の表示を依頼された時点までの経過時間長を算出し、該経過時間長を価格決定パラメタとし、該価格決定パラメタに基づいて、これから価格を表示される商品の表示価格を求める価格決定手段とを備える価格表示制御システムをもって解決手段とする。
【００２６】
請求項８の本発明によれば、これから価格を表示される端末の端末ＩＤ並びにこれから価格を表示される商品が陳列された店舗の店舗コードを含みかつ商品についての価格の表示を依頼された時点が直近の取引情報を検索し、該直近の時点から、これから価格を表示される商品についての価格の表示を依頼された時点までの経過時間長を算出し、該経過時間長を価格決定パラメタとするので、前回来店からの経過時間長により表示価格を決めることができる。
【００２７】
請求項９の本発明は、店舗に陳列されるとともに一括購入される複数の商品を示す複数の商品コードを含む一括購入商品コード情報が記憶される一括購入商品コード情報記憶手段と、過去に商品の価格を表示された後に当該商品が購入された場合の当該端末を示す端末ＩＤと、当該商品が陳列された店舗を示す店舗コードと、当該商品を示す商品コードとを含む取引情報が記憶される取引情報記憶手段と、前記一括購入商品コード情報記憶手段から、これから価格を表示される商品の商品コードを含む一括購入商品コード情報を検索し、該検索された一括購入商品コード情報を構成する商品コードの全てが、これから価格を表示される複数の商品の商品コードに含まれていれば、所定の２値の一方の値を価格決定パラメタとする一方、含まれていなければ、前記取引情報記憶手段から、これから価格を表示される端末の端末ＩＤ並びにこれから価格を表示される商品が陳列された店舗の店舗コードを含む取引情報を検索し、前記検索された一括購入商品コード情報を構成する商品コードの全てが、当該検索されたいずれかの取引情報に含まれていれば、所定の２値の一方の値を価格決定パラメタとする一方、含まれていなければ所定の２値の他方の値を価格決定パラメタとし、価格決定パラメタに基づいて、これから価格を表示される商品の表示価格を求める価格決定手段とを備える価格表示制御システムをもって解決手段とする。
【００２８】
請求項９の本発明によれば、これから価格を表示される商品の商品コードを含む一括購入商品コード情報を検索し、該検索された一括購入商品コード情報を構成する商品コードの全てが、これから価格を表示される複数の商品の商品コードに含まれていれば、所定の２値の一方の値を価格決定パラメタとする一方、含まれていなければ、これから価格を表示される端末の端末ＩＤ並びにこれから価格を表示される商品が陳列された店舗の店舗コードを含む取引情報を検索し、前記検索された一括購入商品コード情報を構成する商品コードの全てが、当該検索されたいずれかの取引情報に含まれていれば、所定の２値の一方の値を価格決定パラメタとする一方、含まれていなければ所定の２値の他方の値を価格決定パラメタとするので、過去に一括購入された複数商品により表示価格を決めることができる。
【００２９】
請求項１０の本発明は、過去に商品の価格を表示された後に当該商品が購入された場合の当該端末を示す端末ＩＤと、当該商品が陳列された店舗を示す店舗コードと、当該商品を示す商品コードとを含む取引情報が記憶される取引情報記憶手段と、前記取引情報記憶手段から、これから価格を表示される端末の端末ＩＤ、これから価格を表示される商品が陳列された店舗の店舗コード並びにこれから価格を表示される商品の商品コードを含む取引情報を検索し、該検索された取引情報の数を価格決定パラメタとし、該価格決定パラメタに基づいて、これから価格を表示される商品の表示価格を求める価格決定手段とを備える価格表示制御システムをもって解決手段とする。
【００３０】
請求項１０の本発明によれば、これから価格を表示される端末の端末ＩＤ、これから価格を表示される商品が陳列された店舗の店舗コード並びにこれから価格を表示される商品の商品コードを含む取引情報を検索し、該検索された取引情報の数を価格決定パラメタとするので、過去の同一商品の購入回数合計により表示価格を決めることができる。
【００３１】
請求項１１の本発明は、店舗に陳列された商品を示す商品コードと、当該商品の属するカテゴリを示す商品カテゴリコードとを含む商品情報が記憶される商品情報記憶手段と、過去に商品の価格を表示された後に当該商品が購入された場合の当該端末を示す端末ＩＤと、当該商品が陳列された店舗を示す店舗コードと、当該商品の属するカテゴリを示す商品カテゴリコードとを含む取引情報が記憶される取引情報記憶手段と、前記商品情報記憶手段から、これから価格が表示される商品を示す商品コードを含む商品情報を検索し、該検索された商品情報から商品カテゴリコードを抽出し、前記取引情報記憶手段から、これから価格を表示される端末の端末ＩＤ、これから価格を表示される商品が陳列された店舗の店舗コード並びに前記抽出した商品カテゴリコードを含む取引情報を検索し、該検索された取引情報の数を価格決定パラメタとし、該価格決定パラメタに基づいて、これから価格を表示される商品の表示価格を求める価格決定手段とを備える価格表示制御システムをもって解決手段とする。
【００３２】
請求項１１の本発明によれば、これから価格が表示される商品を示す商品コードを含む商品情報を検索し、該検索された商品情報から商品カテゴリコードを抽出し、これから価格を表示される端末の端末ＩＤ、これから価格を表示される商品が陳列された店舗の店舗コード並びに前記抽出した商品カテゴリコードを含む取引情報を検索し、該検索された取引情報の数を価格決定パラメタとするので、過去の同一商品カテゴリの購入回数合計により表示価格を決めることができる。
【００３３】
請求項１２の本発明は、過去に商品の価格を表示された後に当該商品が購入された場合の当該端末を示す端末ＩＤと、当該商品が陳列された店舗を示す店舗コードとを含む取引情報が記憶される取引情報記憶手段と、前記取引情報記憶手段から、これから価格を表示される端末の端末ＩＤ並びにこれから価格を表示される商品が陳列された店舗の店舗コードを含む取引情報を検索し、該検索された取引情報の数を価格決定パラメタとし、該価格決定パラメタに基づいて、これから価格を表示される商品の表示価格を求める価格決定手段とを備える価格表示制御システムをもって解決手段とする。
【００３４】
請求項１２の本発明によれば、これから価格を表示される端末の端末ＩＤ並びにこれから価格を表示される商品が陳列された店舗の店舗コードを含む取引情報を検索し、該検索された取引情報の数を価格決定パラメタとするので、過去の店舗単位での購入回数合計により表示価格を決めることができる。
【００３５】
請求項１３の本発明は、過去に商品の価格を表示された端末を示す端末ＩＤと、当該商品が陳列された店舗を示す店舗コードと、当該商品を示す商品コードとを含む取引情報が記憶される取引情報記憶手段と、前記取引情報記憶手段から、これから価格を表示される端末の端末ＩＤ、これから価格を表示される商品が陳列された店舗の店舗コード並びにこれから価格を表示される商品の商品コードを含む取引情報を検索し、該検索された取引情報の数を価格決定パラメタとし、該価格決定パラメタに基づいて、これから価格を表示される商品の表示価格を求める価格決定手段とを備える価格表示制御システムをもって解決手段とする。
【００３６】
請求項１３の本発明によれば、過去に商品の価格を表示された端末を示す端末ＩＤと、当該商品が陳列された店舗を示す店舗コードと、当該商品を示す商品コードとを含む取引情報が記憶される取引情報記憶手段から、これから価格を表示される端末の端末ＩＤ、これから価格を表示される商品が陳列された店舗の店舗コード並びにこれから価格を表示される商品の商品コードを含む取引情報を検索し、該検索された取引情報の数を価格決定パラメタとするので、同一商品の価格参照回数により表示価格を決めることができる。
【００３７】
請求項１４の本発明は、前記価格決定手段は、前記取引情報記憶手段を用いずに前記価格決定パラメタを求めることが可能な請求項１ないし１３のいずれかに記載の価格表示制御システムをもって解決手段とする。
【００３８】
請求項１４の本発明では、価格決定手段は、例えば、これから価格を表示される商品の購入金額合計、購入数量合計、購入時期、これから価格を表示される商品が陳列された店舗またはそのエリア、若しくは商品の組み合わせにより表示価格を決めるようにすればよい。
【００３９】
請求項１５の本発明は、前記価格決定手段は、これから価格を表示される端末を携行するユーザについての情報である顧客情報に基づいて前記価格決定パラメタを求めることが可能な請求項１ないし１４のいずれかに記載の価格表示制御システムをもって解決手段とする。
【００４０】
請求項１５の本発明によれば、価格決定手段は、これから価格を表示される端末を携行するユーザについての情報である顧客情報に基づいて前記価格決定パラメタを求めることが可能である。顧客情報とは、顧客の特性を表すもので、年齢や世代、性別、居住エリア、生年月日、メールアドレスにおけるドメイン名などを要素にすればよい。
【００４１】
請求項１６の本発明は、前記価格決定手段は、予め複数の価格決定パラメタのそれぞれに価格を対応づけた料金表の中の、前記得られた価格決定パラメタに対応する価格を前記表示価格とする請求項１ないし１５のいずれかに記載の価格表示制御システムをもって解決手段とする。
【００４２】
請求項１６の本発明によれば、価格決定手段は、予め複数の価格決定パラメタのそれぞれに価格を対応づけた料金表の中の、前記得られた価格決定パラメタに対応する価格を前記表示価格とするので、料金表を用いて過去の履歴により表示価格を決めることができる。
【００４３】
請求項１７の本発明は、前記価格決定手段は、予め複数の価格決定パラメタのそれぞれに比率を対応づけたレート表から、前記得られた価格決定パラメタに対応する比率を抽出し、これから価格を表示される商品の基準売価に対し、当該抽出された比率を乗じ、該乗算結果を前記表示価格とする請求項１ないし１６のいずれかに記載の価格表示制御システムをもって解決手段とする。
【００４４】
請求項１７の本発明によれば、価格決定手段は、予め複数の価格決定パラメタのそれぞれに比率を対応づけたレート表から、前記得られた価格決定パラメタに対応する比率を抽出し、これから価格を表示される商品の基準売価に対し、当該抽出された比率を乗じ、該乗算結果を前記表示価格とするので、レート表を用いて過去の履歴により表示価格を決めることができる。
【００４５】
請求項１８の本発明は、商品が陳列された店舗に設けられるとともにバーコードで値札を印刷するバーコード印刷手段を備える店舗端末から、前記価格決定パラメタの算出方式を示す価格決定パラメタ算出方式コードが通知された場合に、当該店舗の店舗コード及び当該商品の商品コードを含む値札情報を前記店舗端末に送信する請求項１ないし１７のいずれかに記載の価格表示制御システムをもって解決手段とする。
【００４６】
請求項１８の本発明によれば、商品が陳列された店舗に設けられるとともにバーコードで値札を印刷するバーコード印刷手段を備える店舗端末から、前記価格決定パラメタの算出方式を示す価格決定パラメタ算出方式コードが通知された場合に、当該店舗の店舗コード及び当該商品の商品コードを含む値札情報を前記店舗端末に送信するので、店舗端末のバーコード印刷手段で値札が印刷され、その値札が読みとられ送信されてきたときに、価格決定パラメタ算出方式コードを用いて過去の履歴により表示価格を決定し、店舗端末やユーザの端末に通知することができる。
【００４７】
請求項１９の本発明は、商品が陳列された店舗の店舗コード並びに当該商品の商品コードを含む値札情報をバーコードで印刷されて当該商品につけられた値札からユーザの端末が当該バーコードを読み込みデコードし送信した場合に、当該店舗コード及び商品コードを受信するとともに、当該店舗コード及び商品コードを基に求めた表示価格を当該ユーザの端末に送信して表示させる請求項１ないし１８のいずれかに記載の価格表示制御システムをもって解決手段とする。
【００４８】
請求項１９の本発明によれば、値札からユーザの端末がバーコードを読み込みデコードし送信した場合に、当該店舗コード及び商品コードを受信するとともに、当該店舗コード及び商品コードを基に求めた表示価格を当該ユーザの端末に送信して表示させるので、バーコードを読みとった端末に対し、過去の履歴により求めた表示価格を表示させることができる。
【００４９】
請求項２０の本発明は、ユーザの端末に表示された表示価格にて購入する意志が当該端末から通知された場合に当該表示価格を前記店舗端末へ送信する請求項１９記載の価格表示制御システムをもって解決手段とする。
【００５０】
請求項２０の本発明によれば、ユーザの端末に表示された表示価格にて購入する意志が当該端末から通知された場合に当該表示価格を前記店舗端末へ送信するので、過去の履歴による表示価格を、店舗端末には、購入意志が通知されたときに通知することができ、したがって、購入意志がない場合や誤操作がされた場合などに店舗端末に無用に価格が表示される不都合を防ぐことができる。
【００５１】
請求項２１の本発明は、請求項１ないし１７のいずれかに記載の価格表示制御システムとともに用いられる店舗端末であって、バーコードを印刷するバーコード印刷手段と、前記価格決定パラメタの算出方式を示す価格決定パラメタ算出方式コードを価格表示制御システムに送信するとともに該価格表示制御システムから送信された店舗コードと商品コードとを含む値札情報を前記バーコード印刷手段により印刷させる手段とを備える店舗端末をもって解決手段とする。
【００５２】
請求項２１の本発明は、バーコードを印刷するバーコード印刷手段と、前記価格決定パラメタの算出方式を示す価格決定パラメタ算出方式コードを価格表示制御システムに送信するとともに該価格表示制御システムから送信された店舗コードと商品コードとを含む値札情報を前記バーコード印刷手段により印刷させる手段とを備えるので、価格決定パラメタ算出方式コードを送信することにより店舗コードと商品コードとを含む値札情報を得て、該値札情報をバーコード印刷手段で印刷することができる。
【００５３】
請求項２２の本発明は、店舗に陳列された商品を示す商品コードと、当該商品の基準売価とを含む商品情報が商品情報記憶手段に記憶され、過去に商品の価格を表示された後に当該商品が購入された場合の当該端末を示す端末ＩＤと、当該商品が陳列された店舗を示す店舗コードと、当該商品を示す商品コードと、購入された数量とを含む取引情報が取引情報記憶手段に記憶されているときに、コンピュータが、前記商品情報記憶手段から、これから価格が表示される商品を示す商品コードを含む商品情報を検索し、該検索された商品情報から基準売価を抽出し、前記取引情報記憶手段から、これから価格を表示される端末の端末ＩＤ、これから価格を表示される商品が陳列された店舗の店舗コード並びにこれから価格を表示される商品の商品コードを含む取引情報を検索し、該検索された取引情報から数量を抽出し、前記抽出された基準売価に対し、前記抽出された数量を乗じ、該乗算の結果の合計を価格決定パラメタとし、該価格決定パラメタに基づいて、これから価格を表示される商品の表示価格を求める価格表示制御方法をもって解決手段とする。
【００５４】
請求項２２の本発明によれば、請求項１の本発明と同様の作用効果を奏する。  請求項２３の本発明は、店舗に陳列された商品を示す商品コードと、当該商品の属するカテゴリを示す商品カテゴリコードと、当該商品の基準売価とを含む商品情報が商品情報記憶手段に記憶され、過去に商品の価格を表示された後に当該商品が購入された場合の当該端末を示す端末ＩＤと、当該商品が陳列された店舗を示す店舗コードと、当該商品の属するカテゴリを示す商品カテゴリコードと、購入された数量とを含む取引情報が取引情報記憶手段に記憶されているときに、コンピュータが、前記商品情報記憶手段から、これから価格が表示される商品を示す商品コードを含む商品情報を検索し、該検索された商品情報から基準売価と商品カテゴリコードとを抽出し、前記取引情報記憶手段から、これから価格を表示される端末の端末ＩＤ、これから価格を表示される商品が陳列された店舗の店舗コード並びに前記抽出した商品カテゴリコードを含む取引情報を検索し、該検索された取引情報から数量を抽出し、前記抽出された基準売価に対し、前記抽出された数量を乗じ、該乗算の結果の合計を価格決定パラメタとし、該価格決定パラメタに基づいて、これから価格を表示される商品の表示価格を求める価格表示制御方法をもって解決手段とする。
【００５５】
請求項２３の本発明によれば、請求項２の本発明と同様の作用効果を奏する。  請求項２４の本発明は、店舗に陳列された商品を示す商品コードと、当該商品の基準売価とを含む商品情報が商品情報記憶手段に記憶され、過去に商品の価格を表示された後に当該商品が購入された場合の当該端末を示す端末ＩＤと、当該商品が陳列された店舗を示す店舗コードと、購入された数量とを含む取引情報が取引情報記憶手段に記憶されているときに、コンピュータが、前記商品情報記憶手段から、これから価格を表示される商品の商品コードを含む商品情報を検索し、該検索された商品情報から基準売価を抽出し、前記取引情報記憶手段から、これから価格を表示される端末の端末ＩＤ並びにこれから価格を表示される商品が陳列された店舗の店舗コードを含む取引情報を検索し、該検索された取引情報から数量を抽出し、前記抽出された基準売価に対し、前記抽出された数量を乗じ、該乗算の結果の合計を価格決定パラメタとし、該価格決定パラメタに基づいて、これから価格を表示される商品の表示価格を求める価格表示制御方法をもって解決手段とする。
【００５６】
請求項２４の本発明によれば、請求項３の本発明と同様の作用効果を奏する。  請求項２５の本発明は、過去に商品の価格を表示された後に当該商品が購入された場合の当該端末を示す端末ＩＤと、当該商品が陳列された店舗を示す店舗コードと、当該商品を示す商品コードと、購入された数量とを含む取引情報が取引情報記憶手段に記憶されているときに、コンピュータが、前記取引情報記憶手段から、これから価格を表示される端末の端末ＩＤ、これから価格を表示される商品が陳列された店舗の店舗コード並びにこれから価格を表示される商品の商品コードを含む取引情報を検索し、該検索された取引情報から数量を抽出し、該抽出した数量の合計を価格決定パラメタとし、該価格決定パラメタに基づいて、これから価格を表示される商品の表示価格を求める価格表示制御方法をもって解決手段とする。
【００５７】
請求項２５の本発明によれば、請求項４の本発明と同様の作用効果を奏する。  請求項２６の本発明は、店舗に陳列された商品を示す商品コードと、当該商品の属するカテゴリを示す商品カテゴリコードとを含む商品情報が商品情報記憶手段に記憶され、過去に商品の価格を表示された後に当該商品が購入された場合の当該端末を示す端末ＩＤと、当該商品が陳列された店舗を示す店舗コードと、当該商品の属するカテゴリを示す商品カテゴリコードと、購入された数量とを含む取引情報が取引情報記憶手段に記憶されているときに、コンピュータが、前記商品情報記憶手段から、これから価格が表示される商品を示す商品コードを含む商品情報を検索し、該検索された商品情報から商品カテゴリコードを抽出し、前記取引情報記憶手段から、これから価格を表示される端末の端末ＩＤ、これから価格を表示される商品が陳列された店舗の店舗コード並びに前記抽出した商品カテゴリコードを含む取引情報を検索し、該検索された取引情報から数量を抽出し、該抽出した数量の合計を価格決定パラメタとし、該価格決定パラメタに基づいて、これから価格を表示される商品の表示価格を求める価格表示制御方法をもって解決手段とする。
【００５８】
請求項２６の本発明によれば、請求項５の本発明と同様の作用効果を奏する。  請求項２７の本発明は、過去に商品の価格を表示された後に当該商品が購入された場合の当該端末を示す端末ＩＤと、当該商品が陳列された店舗を示す店舗コードと、購入された数量とを含む取引情報が取引情報記憶手段に記憶されているときに、コンピュータが、前記取引情報記憶手段から、これから価格を表示される端末の端末ＩＤ並びにこれから価格を表示される商品が陳列された店舗の店舗コードを含む取引情報を検索し、該検索された取引情報から数量を抽出し、該抽出された数量の合計を価格決定パラメタとし、該価格決定パラメタに基づいて、これから価格を表示される商品の表示価格を求める価格表示制御方法をもって解決手段とする。
【００５９】
請求項２７の本発明によれば、請求項６の本発明と同様の作用効果を奏する。  請求項２８の本発明は、過去に商品の価格を表示された後に当該商品が購入された場合の当該端末を示す端末ＩＤと、当該商品が陳列された店舗を示す店舗コードと、当該商品を示す商品コードと、当該商品が購入された時点とを含む取引情報が取引情報記憶手段に記憶されているときに、コンピュータが、前記取引情報記憶手段から、これから価格を表示される端末の端末ＩＤ並びにこれから価格を表示される商品が陳列された店舗の店舗コードを含みかつ商品が購入された時点が直近の取引情報を検索し、該直近の時点から、これから価格を表示される商品についての価格の表示を依頼された時点までの経過時間長を算出し、該経過時間長を価格決定パラメタとし、該価格決定パラメタに基づいて、これから価格を表示される商品の表示価格を求める価格表示制御方法をもって解決手段とする。  請求項２８の本発明によれば、請求項７の本発明と同様の作用効果を奏する。  請求項２９の本発明は、過去に商品の価格を表示された後に当該商品が購入された場合の当該端末を示す端末ＩＤと、当該商品が陳列された店舗を示す店舗コードと、当該商品を示す商品コードと、当該商品についての価格の表示を依頼された時点とを含む取引情報が取引情報記憶手段に記憶されているときに、コンピュータが、前記取引情報記憶手段から、これから価格を表示される端末の端末ＩＤ並びにこれから価格を表示される商品が陳列された店舗の店舗コードを含みかつ商品についての価格の表示を依頼された時点が直近の取引情報を検索し、該直近の時点から、これから価格を表示される商品についての価格の表示を依頼された時点までの経過時間長を算出し、該経過時間長を価格決定パラメタとし、該価格決定パラメタに基づいて、これから価格を表示される商品の表示価格を求める価格表示制御方法をもって解決手段とする。
【００６０】
請求項２９の本発明によれば、請求項８の本発明と同様の作用効果を奏する。  請求項３０の本発明は、店舗に陳列されるとともに一括購入される複数の商品を示す複数の商品コードを含む一括購入商品コード情報が一括購入商品コード情報記憶手段に記憶され、過去に商品の価格を表示された後に当該商品が購入された場合の当該端末を示す端末ＩＤと、当該商品が陳列された店舗を示す店舗コードと、当該商品を示す商品コードとを含む取引情報が取引情報記憶手段に記憶されているときに、コンピュータが、前記一括購入商品コード情報記憶手段から、これから価格を表示される商品の商品コードを含む一括購入商品コード情報を検索し、該検索された一括購入商品コード情報を構成する商品コードの全てが、これから価格を表示される複数の商品の商品コードに含まれていれば、所定の２値の一方の値を価格決定パラメタとする一方、含まれていなければ、前記取引情報記憶手段から、これから価格を表示される端末の端末ＩＤ並びにこれから価格を表示される商品が陳列された店舗の店舗コードを含む取引情報を検索し、前記検索された一括購入商品コード情報を構成する商品コードの全てが、当該検索されたいずれかの取引情報に含まれていれば、所定の２値の一方の値を価格決定パラメタとする一方、含まれていなければ所定の２値の他方の値を価格決定パラメタとし、価格決定パラメタに基づいて、これから価格を表示される商品の表示価格を求める価格表示制御方法をもって解決手段とする。
【００６１】
請求項３０の本発明によれば、請求項９の本発明と同様の作用効果を奏する。  請求項３１の本発明は、過去に商品の価格を表示された後に当該商品が購入された場合の当該端末を示す端末ＩＤと、当該商品が陳列された店舗を示す店舗コードと、当該商品を示す商品コードとを含む取引情報が取引情報記憶手段に記憶されているときに、コンピュータが、前記取引情報記憶手段から、これから価格を表示される端末の端末ＩＤ、これから価格を表示される商品が陳列された店舗の店舗コード並びにこれから価格を表示される商品の商品コードを含む取引情報を検索し、該検索された取引情報の数を価格決定パラメタとし、該価格決定パラメタに基づいて、これから価格を表示される商品の表示価格を求める価格表示制御方法をもって解決手段とする。
【００６２】
請求項３１の本発明によれば、請求項１０の本発明と同様の作用効果を奏する。
【００６３】
請求項３２の本発明は、店舗に陳列された商品を示す商品コードと、当該商品の属するカテゴリを示す商品カテゴリコードとを含む商品情報が商品情報記憶手段に記憶され、過去に商品の価格を表示された後に当該商品が購入された場合の当該端末を示す端末ＩＤと、当該商品が陳列された店舗を示す店舗コードと、当該商品の属するカテゴリを示す商品カテゴリコードとを含む取引情報が取引情報記憶手段に記憶されているときに、コンピュータが、前記商品情報記憶手段から、これから価格が表示される商品を示す商品コードを含む商品情報を検索し、該検索された商品情報から商品カテゴリコードを抽出し、前記取引情報記憶手段から、これから価格を表示される端末の端末ＩＤ、これから価格を表示される商品が陳列された店舗の店舗コード並びに前記抽出した商品カテゴリコードを含む取引情報を検索し、該検索された取引情報の数を価格決定パラメタとし、該価格決定パラメタに基づいて、これから価格を表示される商品の表示価格を求める価格表示制御方法をもって解決手段とする。
【００６４】
請求項３２の本発明によれば、請求項１１の本発明と同様の作用効果を奏する。
【００６５】
請求項３３の本発明は、過去に商品の価格を表示された後に当該商品が購入された場合の当該端末を示す端末ＩＤと、当該商品が陳列された店舗を示す店舗コードとを含む取引情報が取引情報記憶手段に記憶されているときに、コンピュータが、前記取引情報記憶手段から、これから価格を表示される端末の端末ＩＤ並びにこれから価格を表示される商品が陳列された店舗の店舗コードを含む取引情報を検索し、該検索された取引情報の数を価格決定パラメタとし、該価格決定パラメタに基づいて、これから価格を表示される商品の表示価格を求める価格表示制御方法をもって解決手段とする。
【００６６】
請求項３３の本発明によれば、請求項１２の本発明と同様の作用効果を奏する。
【００６７】
請求項３４の本発明は、過去に商品の価格を表示された端末を示す端末ＩＤと、当該商品が陳列された店舗を示す店舗コードと、当該商品を示す商品コードとを含む取引情報が取引情報記憶手段に記憶されているときに、コンピュータが、前記取引情報記憶手段から、これから価格を表示される端末の端末ＩＤ、これから価格を表示される商品が陳列された店舗の店舗コード並びにこれから価格を表示される商品の商品コードを含む取引情報を検索し、該検索された取引情報の数を価格決定パラメタとし、該価格決定パラメタに基づいて、これから価格を表示される商品の表示価格を求める価格表示制御方法をもって解決手段とする。
【００６８】
請求項３４の本発明によれば、請求項１３の本発明と同様の作用効果を奏する。
【００６９】
請求項３５の本発明は、請求項２２ないし３４のいずれかの価格表示制御方法を実行させるコンピュータプログラムをもって解決手段とする。
【００７０】
請求項３５の本発明によれば、請求項２２ないし３４のいずれかの価格表示制御方法を実行させるコンピュータプログラムにより流通性を高めることができる。
【００７１】
請求項３６の本発明は、請求項２２ないし３４のいずれかの価格表示制御方法を実行させるコンピュータプログラムが格納された記録媒体をもって解決手段とする。
【００７２】
請求項３６の本発明によれば、請求項２２ないし３４のいずれかの価格表示制御方法を実行させるコンピュータプログラムが格納された記録媒体により流通性を高めることができる。
【発明の効果】
【００７３】
本発明によれば、実店舗における商品の販売において、顧客に提示する商品の価格を、顧客情報や過去の取引情報に基づいて、個々の顧客ごとに柔軟に決定し、決定した価格の提示を、顧客が所持する携帯電話端末に対して行い、かつ価格表示の対象となる商品ＩＤや顧客ＩＤの顧客による入力の手間を省くことに寄与することができる。
【発明を実施するための最良の形態】
【００７４】
以下、本発明の実施の形態を図面を参照して説明する。
【００７５】
図１は、本発明を適用されたネットワークシステムの構成図である。携帯電話端末１は、商品を購入しようとするユーザ１０に携行された電話端末（コンピュータ）である。店舗端末２は、ユーザ１０が訪れた店舗２０に配備されたコンピュータ端末であり、店舗２０に陳列された商品２００に付けられるバーコード値札２０１の印刷等を行うものである。店舗端末２は、店舗２０の販売員等である店舗オペレータ２１０に操作される。価格管理装置３は、店舗２０に陳列される商品２００の価格等を管理するコンピュータである。店舗端末２及び価格管理装置３はネットワーク６に接続され、携帯電話端末１は、携帯事業者無線中継ゲートウェイ（以下、ＧＷ装置という）４を介してネットワーク６に接続される。なお、他の１以上のユーザ１０、該ユーザに携行される携帯電話端末１、他の１以上の店舗２０、該店舗に配備された店舗端末２については図示省略している。
【００７６】
図２は、携帯電話端末１の構成図である。携帯電話端末１は、カメラ１１と、キーボードやマウス等である入力装置１２と、ＣＲＴディスプレイ装置等である表示装置１３と、コンピュータプログラム等により構成されるデータ処理装置１４と、固定磁気ディスク装置等の記憶装置１５と、ＧＷ装置４と通信する無線ネットワーク通信装置１６と、店舗端末２と通信するローカル通信制御装置１７とを備える。
【００７７】
データ処理装置１４は、カメラ１１で読みとられたバーコード値札２０１を解析するバーコード解析部１４１と、ＨＴＭＬ（Hyper Text Markup Language)で記述されたファイルであるＨＴＭＬ情報の解釈等を行うＷｅｂ情報利用手段１４２とを備える。Ｗｅｂ情報利用手段１４２はブラウザとアプリケーションプログラムにより構成される。
【００７８】
記憶装置１５は、携帯電話端末１の識別情報である携帯端末ＩＤ１００１が記憶された携帯端末ＩＤ記憶部１５１と、受信された情報が記憶される受信情報記憶部１５２と、価格管理装置３のアドレスが記憶されたアドレス記憶部１５３とを備える。携帯端末ＩＤ１００１は携帯電話端末１の本体に印刷されている。また携帯端末ＩＤ１００１や本実施の形態における他の種類のＩＤは他のＩＤとと重複しないもの、すなわち付与対象に固有のものである。
【００７９】
図３は、店舗端末２の構成図である。店舗端末２は、バーコード印刷装置２１（バーコード印刷手段）と、キーボードやマウス等である入力装置２２と、ＣＲＴディスプレイ装置等である表示装置２３と、コンピュータプログラム等により構成されるデータ処理装置２４と、固定磁気ディスク装置等の記憶装置２５と、ネットワーク６と通信するネットワーク通信装置２６と、携帯電話端末１と通信するローカル通信制御装置２７とを備える。
【００８０】
データ処理装置２４は、バーコード印刷装置２１に値札情報等のデータを送信するバーコード作成手段２４１と、ＨＴＭＬ情報の解釈等を行うＷｅｂ情報利用手段２４２と、電子メールの作成、送受信及び表示制御等を行うメール情報利用手段２４３と、携帯電話端末１のユーザの認証を行うユーザローカル認証手段２４４とを備える。
【００８１】
記憶装置２５は、価格管理装置３から送信される値札情報が記憶される値札情報記憶部２５１と、携帯電話端末１から送信される購入登録完了情報が記憶されるユーザローカル認証情報記憶部２５２とを備える。
【００８２】
図４は、価格管理装置３の構成図である。価格管理装置３は、いわゆるウェブサーバであり、店舗に陳列される商品の価格管理を事業とする事業者等により運営される。価格管理装置３は、ネットワーク６と通信するネットワーク通信制御装置３１と、コンピュータプログラム等により構成されるデータ処理装置３２と、固定磁気ディスク装置等の記憶装置３３とを備える。
【００８３】
データ処理装置３２は、ｈｔｔｐリクエストやＨＴＭＬ情報を含むｈｔｔｐレスポンスをｈｔｔｐプロトコルにより送受信するＷｅｂ情報提供制御手段３２０１と、電子メールの格納及び提供を行うメール情報提供制御手段３２０２と、店舗名等を含む店舗情報を管理する店舗情報管理手段３２０３と、ユーザの氏名等を含む顧客情報を管理する顧客情報管理手段３２０４と、商品名等を含む商品情報を管理する商品情報管理手段３２０５と、店舗端末２から送信される、価格決定の要素であるプライスプランコード等を含むプライスプラン情報を管理するプライスプラン管理手段３２０６と、携帯電話端末１の認証を行う携帯端末認証手段３２０７と、ユーザ認証を行うユーザ認証手段３２０８と、商品の表示価格を決定する価格決定手段３２０９と、商品が売買（取引）されたときの管理を行う販売情報管理手段３２１０と、商品の売買が完了したときの管理を行う販売完了情報管理手段３２１１とを備える。店舗情報管理手段３２０３から販売完了情報管理手段３２１１までは、各手段に対応するＣＧＩ（Common Gateway Interface)プログラムにより構成されている。
【００８４】
記憶装置３３は、店舗情報が記憶される店舗情報記憶部３３１と、顧客情報が記憶される顧客情報記憶部３３２と、商品情報が記憶される商品情報記憶部３３３（商品情報記憶手段）と、プライスプラン情報が記憶されるプライスプラン記憶部３３４と、一括購入される複数の商品の各商品コードを含むバンドル商品指定情報（一括購入商品コード情報）が記憶されるバンドル商品指定情報記憶部３３５（一括購入商品コード情報記憶手段）と、商品の売買取引に関わる情報である取引情報が記憶される取引情報記憶部３３６（取引情報記憶手段）とを備える。
【００８５】
なお、これら記憶部に新たに情報を格納するときは、価格管理装置３に備わったメモリ上で情報を生成してから格納し、また、これら記憶部に記憶された情報を更新するときは一旦メモリ上に読み出して変更してから当該記憶部に格納することになるが、かかる点についての説明は便宜上省くことにする。
【００８６】
図５は、ＧＷ装置４の構成図である。ＧＷ装置４は、通信パケットの中継を行う中継手段４１１を含むデータ処理装置４１と、携帯電話端末１と通信する無線ネットワーク通信装置４２と、ネットワーク６と通信するネットワーク通信制御装置４３とを備える。
【００８７】
次に、本実施の形態の動作を説明する。
【００８８】
本実施の形態にあっては、店舗情報が価格管理装置３に記憶（登録）される店舗登録段階、商品情報が価格管理装置３に登録される商品登録段階、バーコードの印刷が行われるバーコード印刷段階、顧客情報が価格管理装置３に登録される顧客登録段階、商品が選択されて価格が携帯電話端末１へ表示される商品選択価格表示段階、購入意志が価格管理装置３へ登録され店舗端末２へ通知される商品購入登録段階の６段階が実行される。
【００８９】
[店舗登録段階]
図６は、店舗登録段階のフローチャートである。
【００９０】
店舗オペレータ２１０が店舗端末２の入力装置２２に所定のＵＲＩを入力することで店舗登録のリクエストを受信した価格管理装置３は、店舗情報登録用のＨＴＭＬ情報である店舗登録用ＨＴＭＬ情報３１００１を、ネットワーク６を介して、店舗端末２に送信する（ステップＳ１）。
【００９１】
図７は、店舗情報の構成図である。店舗情報２０００は、店舗を示すコードである店舗コード２００１と、店舗に割り当てられた電子メールアドレスである店舗メールアドレス２００２と、店舗を含む地域に割り当てられた郵便番号である店舗郵便番号２００３と、店舗の名称である店舗名２００４とを備える。
【００９２】
図８は、店舗登録用ＨＴＭＬ情報３１００１を例示した図である。
【００９３】
店舗登録用ＨＴＭＬ情報３１００１には、店舗情報の入力を促す文字情報と、ＰＯＳＴメソッドに含まれるＵＲＩ「http://価格管理装置３のアドレス/店舗情報管理手段３２０３のＣＧＩ名」、店舗コード２００１、店舗メールアドレス２００２、店舗郵便番号２００３及びこれらを入力させるための文字情報「店舗コード」、「店舗メールアドレス」及び「店舗郵便番号」等と、店舗情報２０００を登録する登録ボタンを表示させる情報などが含まれる。
【００９４】
店舗端末２のネットワーク通信装置２６は、店舗登録用ＨＴＭＬ情報３１００１をＷｅｂ情報利用手段２４２に与える。Ｗｅｂ情報利用手段２４２は、店舗登録用ＨＴＭＬ情報３１００１を表示装置２３に表示させる。
【００９５】
図９は、表示された店舗登録用ＨＴＭＬ情報３１００１を例示した図である。
【００９６】
表示装置２３には、店舗情報の入力を促す文字情報、店舗情報２０００を構成する店舗コード２００１、店舗メールアドレス２００２、店舗郵便番号２００３及びこれらを入力させるための文字情報「店舗コード」等と、これらが入力される入力ボックスと、登録ボタンとが表示される。
【００９７】
店舗オペレータ２１０は入力装置２２を操作して、各入力ボックスに、店舗情報２０００の構成要素を入力し登録ボタンを押すと、店舗情報２０００がＷｅｂ情報利用手段２４２に入力される。
【００９８】
図６に戻り、Ｗｅｂ情報利用手段２４２は、店舗登録用ＨＴＭＬ情報３１００１のＰＯＳＴメソッドに含まれるＵＲＩと店舗情報２０００とを含むｈｔｔｐリクエスト３１００２をネットワーク通信装置２６を介してネットワーク６に送出すると、ネットワーク６はｈｔｔｐリクエスト３１００２を価格管理装置３のネットワーク通信制御装置３１に送信する（ステップＳ３）。
【００９９】
ネットワーク通信制御装置３１はｈｔｔｐリクエスト３１００２をＷｅｂ情報提供制御手段３２０１に与える。Ｗｅｂ情報提供制御手段３２０１は、ｈｔｔｐリクエスト３１００２に含まれるＵＲＩにＣＧＩ名を記述された手段、すなわち店舗情報管理手段３２０３に対し、ｈｔｔｐリクエスト３１００２に含まれる店舗情報２０００を与える。店舗情報管理手段３２０３は、店舗情報２０００を店舗情報記憶部３３１に記憶させる。
【０１００】
店舗情報管理手段３２０３は、店舗情報の登録が完了したことを示す情報と、記憶された店舗情報２０００と、該店舗情報２０００を構成する各情報に対応する文字情報（「店舗コード」等）とを含む店舗登録完了ＨＴＭＬ情報３１００３を生成し、Ｗｅｂ情報提供制御手段３２０１に与える。Ｗｅｂ情報提供制御手段３２０１は、店舗登録完了ＨＴＭＬ情報３１００３を、ネットワーク通信制御装置３１を介してｈｔｔｐレスポンスとしてネットワーク６に送出すると、ネットワーク６は店舗登録完了ＨＴＭＬ情報３１００３を店舗端末２のネットワーク通信装置２６に送信する（ステップＳ５）。
【０１０１】
店舗端末２のネットワーク通信装置２６は、店舗登録完了ＨＴＭＬ情報３１００３をＷｅｂ情報利用手段２４２に与える。Ｗｅｂ情報利用手段２４２は、店舗登録完了ＨＴＭＬ情報３１００３を表示装置２３に表示させる。
【０１０２】
図１０は、表示された店舗登録完了ＨＴＭＬ情報３１００３を例示した図である。
【０１０３】
表示装置２３には、店舗情報の登録が完了したことを示す情報並びに、店舗情報２０００を構成する店舗コード２００１、店舗メールアドレス２００２、店舗郵便番号２００３及び店舗名２００４並びに、これらに対応する文字情報が表示される。かかる表示により店舗オペレータ２１０は、店舗２０についての店舗情報２０００が登録されたことを知ることができる。
【０１０４】
なお、他の店舗２０についてもかかる処理が行われることにより、店舗情報記憶部３３１には店舗２０や他の店舗２０についての店舗情報２０００が記憶される。また、店舗オペレータ２１０が店舗端末２を用いて店舗情報２０００を登録するのでなく、価格管理装置３を運営する事業者のオペレータが価格管理装置３に対して直接、店舗情報２０００を登録してもよい。
【０１０５】
[商品登録段階]
図１１は、商品登録段階のフローチャートである。
【０１０６】
店舗オペレータ２１０が店舗端末２の入力装置２２に所定のＵＲＩを入力することで商品登録のリクエストを受信した価格管理装置３は、商品情報等登録用のＨＴＭＬ情報である商品登録用ＨＴＭＬ情報３２００１を、ネットワーク６を介して、店舗端末２に送信する（ステップＳ２１）。
【０１０７】
図１２は、商品情報、プライスプラン情報及びバンドル商品指定情報の構成図である。
【０１０８】
商品情報２１００は、商品を示すコードである商品コード２１０１と、商品の名称である商品名２１０２と、商品の属するカテゴリを示すコードである商品カテゴリコード２１０３と、商品の基準単価である基準売価２１０４と、プライスプランコード２１０５とを含む。
【０１０９】
プライスプラン情報２３００は、プライスプランコード２１０５による検索時に照合されるプライスプランコード２３０１と、価格決定パラメタの算出方式を示すコードである価格決定パラメタ算出方式コード２３０２と、料金表に基づいて価格を決定することとレートに基づいて価格を決定することのいずれかを示す料金計算方式フラグ２３０３と、料金計算方式フラグ２３０３が料金表に基づいて価格を決定することを示している場合は料金表である一方、料金計算方式フラグ２３０３がレートに基づいて価格を決定することを示している場合はレート表であるレート／料金表コード２３０４とを含む。
【０１１０】
バンドル商品指定情報２４００は、商品コード２１０１をバンドル商品コード２４０１として１以上を含む。
【０１１１】
図１３は、商品登録用ＨＴＭＬ情報３２００１を例示した図である。
【０１１２】
商品登録用ＨＴＭＬ情報３２００１には、商品情報２１００の入力を促す文字情報並びに、ＰＯＳＴメソッドに含まれるＵＲＩ「http://価格管理装置３のアドレス/商品情報管理手段３２０５のＣＧＩ名」が含まれる。また、店舗情報２０００を構成する商品コード２１０１、商品名２１０２、商品カテゴリコード２１０３、基準売価２１０４、プライスプランコード２１０５並びに、プライスプラン情報２３００を構成するプライスプランコード２３０１、価格決定パラメタ算出方式コード２３０２、料金計算方式フラグ２３０３、レート／料金表コード２３０４並びに、バンドル商品指定情報２４００を構成する１以上のバンドル商品コード２４０１を入力させるための文字情報「商品コード」、「商品名」、「商品カテゴリコード」、「基準売価」、「プライスプランコード」、「プライスプランコード」、「価格決定パラメタ算出方式コード」、「料金計算方式フラグ」、「レート／料金表コード」及び「商品コード（１）」等と、登録ボタンを表示させる情報などが含まれる。
【０１１３】
店舗端末２のネットワーク通信装置２６は、商品登録用ＨＴＭＬ情報３２００１をＷｅｂ情報利用手段２４２に与える。Ｗｅｂ情報利用手段２４２は、商品登録用ＨＴＭＬ情報３２００１を表示装置２３に表示させる。
【０１１４】
図１４は、表示された商品登録用ＨＴＭＬ情報３２００１を例示した図である。
【０１１５】
表示装置２３には、商品情報２１００等の入力を促す文字情報並びに、商品コード２１０１、商品名２１０２、商品カテゴリコード２１０３、基準売価２１０４、プライスプランコード２１０５、プライスプランコード２３０１、価格決定パラメタ算出方式コード２３０２、料金計算方式フラグ２３０３、レート／料金表コード２３０４、１以上のバンドル商品コード２４０１が入力される入力ボックスと、文字情報「商品コード」、「商品名」、「商品カテゴリコード」、「基準売価」、「プライスプランコード」、「プライスプランコード」、「価格決定パラメタ算出方式コード」、「料金計算方式フラグ」、「レート／料金表コード」及び「商品コード（１）」等と、登録ボタンとが表示される。
【０１１６】
店舗オペレータ２１０は入力装置２２を操作して、各入力ボックスに情報を入力し登録ボタンを押すと、入力された情報により構成された商品情報２１００、プライスプラン情報２３００及びバンドル商品指定情報２４００がＷｅｂ情報利用手段２４２に入力される。
【０１１７】
なお、店舗オペレータ２１０によりプライスプラン情報２３００のプライスプランコード２３０１は、商品情報２１００のプライスプランコード２１０５と同一にされる。また、バンドル商品指定情報２４００のバンドル商品コード２４０１の１つは商品コード２１０１と同一にされる。プライスプラン情報２３００やバンドル商品指定情報２４００は予め価格管理装置３に記憶されていれば入力不要である。
【０１１８】
図１１に戻り、Ｗｅｂ情報利用手段２４２は、商品登録用ＨＴＭＬ情報３２００１のＰＯＳＴメソッドに含まれるＵＲＩ、商品情報２１００、プライスプラン情報２３００及びバンドル商品指定情報２４００を含むｈｔｔｐリクエスト３２００２をネットワーク通信装置２６を介してネットワーク６に送出すると、ネットワーク６はｈｔｔｐリクエスト３２００２を価格管理装置３のネットワーク通信制御装置３１に送信する（ステップＳ２３）。
【０１１９】
ネットワーク通信制御装置３１はｈｔｔｐリクエスト３２００２をＷｅｂ情報提供制御手段３２０１に与える。Ｗｅｂ情報提供制御手段３２０１は、ｈｔｔｐリクエスト３２００２に含まれるＵＲＩにＣＧＩ名を記述された手段、すなわち商品情報管理手段３２０５に対し、ｈｔｔｐリクエスト３２００２に含まれる商品情報２１００、プライスプラン情報２３００及びバンドル商品指定情報２４００を与える。商品情報管理手段３２０５は、商品情報２１００を商品情報記憶部３３３に、プライスプラン情報２３００をプライスプラン記憶部３３４に、バンドル商品指定情報２４００をバンドル商品指定情報記憶部３３５にそれぞれ記憶させる。
【０１２０】
次に、商品情報管理手段３２０５は、値札情報２２００として、ＵＲＩ「http://価格管理装置３のアドレス/携帯端末認証手段３２０７のＣＧＩ名？店舗コード＝店舗コード２００１＆商品コード＝商品コード２１０１」を生成する（ステップＳ２５）。
【０１２１】
さらに、商品情報管理手段３２０５は、商品情報２１００が登録されたことを示す情報並びに、ＰＯＳＴメソッドに含まれるＵＲＩに含まれる値札情報２２００並びに、記憶された商品情報２１００、プライスプラン情報２３００及びバンドル商品指定情報２４００並びに、該各情報に対応する文字情報「商品情報」、「プライスプラン情報」及び「バンドル商品指定情報」並びに、該各情報を構成する各情報に対応する文字情報「商品コード」、「商品名」、「商品カテゴリコード」、「基準売価」、「プライスプランコード」、「プライスプランコード」、「料金計算方式フラグ」、「レート／料金表コード」、「商品コード（１）」等を含む商品登録完了ＨＴＭＬ情報３２００３を生成し、Ｗｅｂ情報提供制御手段３２０１に与える。Ｗｅｂ情報提供制御手段３２０１は、商品登録完了ＨＴＭＬ情報３２００３を、ネットワーク通信制御装置３１を介してｈｔｔｐレスポンスとしてネットワーク６に送出すると、ネットワーク６は商品登録完了ＨＴＭＬ情報３２００３を店舗端末２のネットワーク通信装置２６に送信する（ステップＳ２７）。
【０１２２】
店舗端末２のネットワーク通信装置２６は、商品登録完了ＨＴＭＬ情報３２００３をＷｅｂ情報利用手段２４２に与える。Ｗｅｂ情報利用手段２４２は、商品登録完了ＨＴＭＬ情報３２００３を表示装置２３に表示させる。
【０１２３】
図１５は、表示された商品登録完了ＨＴＭＬ情報３２００３を例示した図である。
【０１２４】
表示装置２３には、商品情報２１００が登録されたことを示す情報及び値札情報２２００並びに、商品情報２１００、プライスプラン情報２３００及びバンドル商品指定情報２４００のそれぞれに対応する文字情報「商品情報」、「プライスプラン情報」及び「バンドル商品指定情報」並びに、商品情報２１００、プライスプラン情報２３００、バンドル商品指定情報２４００のそれぞれを構成する情報並びに、該各情報に対応する文字情報「商品コード」、「商品名」、「商品カテゴリコード」、「基準売価」、「プライスプランコード」、「プライスプランコード」、「料金計算方式フラグ」、「レート／料金表コード」、「商品コード（１）」等の文字情報が表示される。かかる表示により店舗オペレータ２１０は、商品２００が登録されたことを知ることができる。
【０１２５】
店舗オペレータ２１０が入力装置２２に所定の操作を行うと、Ｗｅｂ情報利用手段２４２は、商品登録完了ＨＴＭＬ情報３２００３を値札情報記憶部２５１に記憶させる。
【０１２６】
かかる処理が、店舗２０や他の店舗２０に陳列された複数の商品２００について行われることで、価格管理装置３の店舗情報記憶部３３１には当該複数の商品についての商品情報２１００が記憶される。
【０１２７】
また、店舗２０や他の店舗２０の店舗端末２の値札情報記憶部２５１には、店舗２０や他の店舗２０に陳列された複数の商品２００についての商品登録完了ＨＴＭＬ情報３２００３が記憶される。
【０１２８】
[バーコード印刷段階]
店舗オペレータ２１０が入力装置２２に所定の操作を行うと、入力装置２２がバーコード作成手段２４１に印刷要求を行う。バーコード作成手段２４１は、値札情報記憶部２５１から商品登録完了ＨＴＭＬ情報３２００３を読み出し、該商品登録完了ＨＴＭＬ情報３２００３から値札情報２２００を抽出し、該値札情報２２００をバーコード印刷装置２１に与える。バーコード印刷装置２１は、値札情報２２００をバーコード値札２０１に印刷する。
【０１２９】
図１６は、印刷されたバーコード値札２０１を例示した図である。
【０１３０】
図１６は、特に、値札情報２２００である「http://www.asp.co.jp/121.cgi?sid=0123&pid=3210」をＱＲコード（２次元バーコードの１種）で印刷した場合を示す。なお、１次元バーコードなどの他の形式のバーコードを印刷しても勿論よい。
【０１３１】
[顧客登録段階]
図１７は、顧客登録段階のフローチャートである。
【０１３２】
ユーザ１０が携帯電話端末１の入力装置１２に所定の操作を入力すると、Ｗｅｂ情報利用手段１４２は、アドレス記憶部１５３から価格管理装置３のアドレスを読み出し、該アドレスにより、価格管理装置３に顧客登録のリクエストを送信する。これを受信した価格管理装置３は、顧客情報登録用のＨＴＭＬ情報である顧客登録用ＨＴＭＬ情報３３００１を、ネットワーク６及びＧＷ装置４を介して、携帯電話端末１に送信する（ステップＳ３１）。
【０１３３】
図１８は、顧客情報の構成図である。
【０１３４】
顧客情報１０００は、携帯電話端末１の識別情報である携帯端末ＩＤ１００１と、ユーザ１０の識別情報であるユーザＩＤ１００２と、ユーザ１０以外には秘匿化されるパスワード１００３と、ユーザ１０の氏名を示す氏名１００４と、ユーザ１０の現住所を含む地域に割り当てられた郵便番号を示す郵便番号１００５と、ユーザ１０の現住所を示す現住所１００６と、ユーザ１０の現住所に敷設された電話回線に割り当てられた電話番号示す電話番号１００７と、携帯電話端末１に割り当てられた無線電話回線の電話番号を示す携帯電話番号１００８と、携帯電話端末１に割り当てられた電子メールアドレスを示すメールアドレス１００９と、ユーザ１０の生年月日を示す生年月日１０１０と、ユーザ１０の性別を示す性別１０１１とを含む。
【０１３５】
図１９は、顧客登録用ＨＴＭＬ情報３３００１を例示した図である。
【０１３６】
顧客登録用ＨＴＭＬ情報３３００１には、顧客情報１０００の入力を促す文字情報と、例えば、ｕｔｎタグが用いられたＰＯＳＴメソッドに含まれるＵＲＩ「http://価格管理装置３のアドレス/顧客情報管理手段３２０４のＣＧＩ名」と、顧客情報１０００から携帯端末ＩＤ１００１を除いた残りの情報を入力させるための文字情報「ユーザＩＤ」、「パスワード」、「氏名」、「郵便番号」、「現住所」、「電話番号」、「携帯電話番号」、「メールアドレス」、「生年月日」、「性別」と、携帯端末ＩＤ１００１を除いた残りの情報を送信する送信ボタンを表示させる情報などが含まれる。
【０１３７】
携帯電話端末１の無線ネットワーク通信装置１６は、顧客登録用ＨＴＭＬ情報３３００１をＷｅｂ情報利用手段１４２に与える。Ｗｅｂ情報利用手段１４２は、顧客登録用ＨＴＭＬ情報３３００１を表示装置１３に表示させる。
【０１３８】
図２０は、表示された顧客登録用ＨＴＭＬ情報３３００１を例示した図である。
【０１３９】
表示装置１３には、顧客情報１０００から携帯端末ＩＤ１００１を除いた残りの情報を登録させるための文字情報と、これらが入力される入力ボックスと、送信ボタンが表示される。
【０１４０】
ユーザ１０は入力装置１２を操作して、各入力ボックスに、携帯端末ＩＤ１００１を除いた残りの情報を入力し送信ボタンを押すと、携帯端末ＩＤ１００１を除いた残りの情報がＷｅｂ情報利用手段１４２に入力される。
【０１４１】
図２１は、携帯端末ＩＤ１００１の送信可否問い合わせを例示した図である。  Ｗｅｂ情報利用手段１４２は表示装置１３に、文字情報「携帯端末ＩＤを送信しますか？」と、「はい」と表記された送信ボタンと、「いいえ」と表記された中止ボタンとを表示させる。
【０１４２】
ユーザ１０により、中止ボタンが押されると顧客登録段階が中止されので、携帯端末ＩＤを送信したくないユーザ１０はここで処理を中止できる。
【０１４３】
一方、携帯端末ＩＤを送信してもよい場合に送信ボタンが押されると、Ｗｅｂ情報利用手段１４２は、携帯端末ＩＤ記憶部１５１から携帯端末ＩＤ１００１を読み出し、該携帯端末ＩＤ１００１と入力された情報とにより顧客情報１０００を完成させる。
【０１４４】
図１７に戻り、Ｗｅｂ情報利用手段１４２は、顧客登録用ＨＴＭＬ情報３３００１のＰＯＳＴメソッドに含まれるＵＲＩと完成された顧客情報１０００とを含むｈｔｔｐリクエスト３３００２を無線ネットワーク通信装置１６とＧＷ装置４とを介してネットワーク６に送出すると、ネットワーク６はｈｔｔｐリクエスト３３００２を価格管理装置３のネットワーク通信制御装置３１に送信する（ステップＳ３３）。
【０１４５】
なお、ユーザ１０により、顧客情報１０００を更新する要求が価格管理装置３に対しなされると、同様の処理により、携帯電話端末１は価格管理装置３から送信される顧客情報１０００を表示させ、ユーザ１０により変更された顧客情報１０００を含むｈｔｔｐリクエスト３３００２を価格管理装置３のネットワーク通信制御装置３１を送信する。
【０１４６】
ネットワーク通信制御装置３１はｈｔｔｐリクエスト３３００２をＷｅｂ情報提供制御手段３２０１に与える。Ｗｅｂ情報提供制御手段３２０１は、ｈｔｔｐリクエスト３３００２に含まれるＵＲＩにＣＧＩ名を記述された手段、すなわち顧客情報管理手段３２０４に対し、ｈｔｔｐリクエスト３３００２に含まれる顧客情報１０００を与える。また、Ｗｅｂ情報提供制御手段３２０１は、ｈｔｔｐリクエスト３３００２に含まれる顧客情報１０００からユーザＩＤ１００２とパスワード１００３を抽出してユーザ認証手段３２０８に与える。
【０１４７】
ユーザ認証手段３２０８は、与えられた顧客情報１０００のユーザＩＤ１００２を含む顧客情報１０００が顧客情報記憶部３３２に記憶されているか否かを判定すると判定結果を顧客情報管理手段３２０４に通知し、該判定結果により顧客情報管理手段３２０４は処理を異ならせる。
【０１４８】
＜ユーザＩＤの一致する顧客情報１０００がない場合（新規登録）＞
与えられた顧客情報１０００のユーザＩＤ１００２を含む顧客情報１０００が顧客情報記憶部３３２に記憶されてない場合は、顧客情報管理手段３２０４は、与えられた顧客情報１０００を顧客情報記憶部３３２に新たに記憶させる。
【０１４９】
＜ユーザＩＤの一致する顧客情報１０００がありかつパスワードが一致する場合＞
与えられた顧客情報１０００のユーザＩＤ１００２とパスワード１００３を含む顧客情報１０００が顧客情報記憶部３３２に記憶されている場合は、顧客情報管理手段３２０４は、記憶されている顧客情報１０００を、与えられた顧客情報１０００で更新する。具体的には、記憶されている顧客情報１０００と与えられた顧客情報１０００との比較を行い、異なっている項目についてのみ、与えられた顧客情報１０００で記憶されている顧客情報１０００を上書きする。
【０１５０】
いずれにしても、顧客情報１０００が新たに記憶された場合または更新された場合は、顧客情報管理手段３２０４は、顧客情報１０００が登録されたことを示す文字情報と、記憶または更新された顧客情報１０００と、該顧客情報１０００を構成する各情報に対応する文字情報とを含む顧客登録完了ＨＴＭＬ情報３３００３を生成し、Ｗｅｂ情報提供制御手段３２０１に与える。Ｗｅｂ情報提供制御手段３２０１は、顧客登録完了ＨＴＭＬ情報３３００３を、ネットワーク通信制御装置３１を介してｈｔｔｐレスポンスとしてネットワーク６に送出すると、ネットワーク６は顧客登録完了ＨＴＭＬ情報３３００３を、ＧＷ装置４を介して携帯電話端末１の無線ネットワーク通信装置１６に送信する（ステップＳ３５）。
【０１５１】
携帯電話端末１の無線ネットワーク通信装置１６は、顧客登録完了ＨＴＭＬ情報３３００３をＷｅｂ情報利用手段１４２に与える。Ｗｅｂ情報利用手段１４２は、顧客登録完了ＨＴＭＬ情報３３００３を表示装置１３に表示させる。
【０１５２】
図２２は、表示された顧客登録完了ＨＴＭＬ情報３３００３を例示した図である。
【０１５３】
表示装置１３には、顧客情報１０００が登録されたことを示す文字情報と、顧客情報１０００と、該顧客情報１０００を構成する各情報に対応する文字情報が表示される。かかる表示によりユーザ１０は、顧客情報１０００が新たに登録されたこと、あるいは顧客情報１０００が更新されたことを知ることができる。
【０１５４】
＜ユーザＩＤの一致する顧客情報１０００がありかつパスワードが一致しない場合＞
与えられた顧客情報１０００のユーザＩＤ１００２を含む顧客情報１０００が顧客情報記憶部３３２に記憶されているが、与えられた顧客情報１０００のパスワード１００３を含む顧客情報１０００が商品情報記憶部３３３に記憶されていない場合は、顧客情報管理手段３２０４は、顧客情報１０００の登録が却下されたことを示す文字情報を含む顧客登録却下ＨＴＭＬ情報３３００４を生成し、Ｗｅｂ情報提供制御手段３２０１に与える。Ｗｅｂ情報提供制御手段３２０１は、顧客登録却下ＨＴＭＬ情報３３００４を、ネットワーク通信制御装置３１を介してｈｔｔｐレスポンスとしてネットワーク６に送出すると、ネットワーク６は顧客登録却下ＨＴＭＬ情報３３００４を、ＧＷ装置４を介して携帯電話端末１の無線ネットワーク通信装置１６に送信する（ステップＳ３５）。
【０１５５】
携帯電話端末１の無線ネットワーク通信装置１６は、顧客登録却下ＨＴＭＬ情報３３００４をＷｅｂ情報利用手段１４２に与える。Ｗｅｂ情報利用手段１４２は、顧客登録却下ＨＴＭＬ情報３３００４を表示装置１３に表示させる。
【０１５６】
図２３は、表示された顧客登録却下ＨＴＭＬ情報３３００４を例示した図である。
【０１５７】
表示装置１３には、顧客情報１０００の登録が却下されたことを示す文字情報が表示される。かかる表示によりユーザ１０は、顧客情報１０００の登録が却下されたことを知ることができる。
【０１５８】
かかる処理が、他のユーザ１０についても行われることで、価格管理装置３の顧客情報記憶部３３２には当該ユーザ１０や他のユーザ１０についての複数の顧客情報１０００が記憶される。
【０１５９】
[商品選択価格表示段階]
図２４は、商品選択価格表示段階のフローチャートである。
【０１６０】
ユーザ１０により、まとめ購入を希望される１以上の商品２００に付けられたバーコード値札２０１に対し、携帯電話端末１のカメラ１１が向けられて入力装置１２に所定の操作がなされる。以下、このようにまとめて購入される１以上の商品２００のそれぞれに対応する情報が処理されるが、当該情報には（＊）を後述させることにより、まとめ購入における１以上の情報であることを示す。
【０１６１】
カメラ１１はバーコード値札２０１のバーコードを画像のまま読み取って当該画像をバーコード解析部１４１に送信し、バーコード解析部１４１は画像を解析（デコード）して値札情報２２００（＊）を得る（ステップＳ４１）。
【０１６２】
Ｗｅｂ情報利用手段１４２は、値札情報２２００（＊）を含むｈｔｔｐリクエスト４０００（＊）を生成し、無線ネットワーク通信装置１６及びＧＷ装置４を介してネットワーク６に送出すると、ネットワーク６はｈｔｔｐリクエスト４０００（＊）を価格管理装置３のネットワーク通信制御装置３１に送信する（ステップＳ４３）。
【０１６３】
価格管理装置３のネットワーク通信制御装置３１は、ｈｔｔｐリクエスト４０００（＊）をＷｅｂ情報提供制御手段３２０１に与える。Ｗｅｂ情報提供制御手段３２０１は、ｈｔｔｐリクエスト４０００（＊）に含まれる値札情報２２００（＊）であるＵＲＩにＣＧＩ名を記述された手段、すなわち携帯端末認証手段３２０７に対し、値札情報２２００（＊）を与える。
【０１６４】
携帯端末認証手段３２０７は、値札情報２２００（＊）に含まれる商品コード２１０１（＊）を含む商品情報２１００（＊）を商品情報記憶部３３３から検索し、検索された商品情報２１００（＊）に含まれる商品名２１０２（＊）を抽出する。続いて携帯端末認証手段３２０７は、端末ＩＤ取得ＨＴＭＬ情報３４００１を生成する。
【０１６５】
図２５は、端末ＩＤ取得ＨＴＭＬ情報３４００１を例示した図である。
【０１６６】
端末ＩＤ取得ＨＴＭＬ情報３４００１には、例えば、ｕｔｎタグが用いられたＰＯＳＴメソッドに含まれるＵＲＩ「http://価格管理装置３のアドレス/価格決定手段３２０９のＣＧＩ名」と、値札情報２２００（＊）に含まれる店舗コード２００１（＊：共通）と、値札情報２２００に含まれる商品コード２１０１（＊）と、検索された商品名２１０２（＊）と、商品ごとのトランザクションＩＤ４１０３（＊）と、商品コード２１０１（＊）等に対応する文字情報「商品コード」等と、購入予定数量の入力を促す文字情報、入力された購入予定数量を送信する送信ボタンを表示させる情報とが含まれる。
【０１６７】
なお、トランザクションＩＤ４１０３（＊）に対し、店舗コード２００１、商品コード２１０１（＊）、商品名２１０２（＊）、商品コード２１０１（＊）及びこれらに対応する文字情報が対応することを記憶装置３３に記憶させるとともに端末ＩＤ取得ＨＴＭＬ情報３４００１にはトランザクションＩＤ４１０３（＊）とこれに対応する文字情報のみを含ませれば、後述するｈｔｔｐリクエスト３４００２に含まれて当該端末ＩＤ取得ＨＴＭＬ情報３４００１に含ませたトランザクションＩＤ４１０３（＊）が返却されたときに記憶装置３３に記憶させた店舗コード２００１、商品コード２１０１（＊）、商品名２１０２（＊）、商品コード２１０１（＊）を読み出せるので、かかる処理を行ってもよい。
【０１６８】
また、商品コード２１０１（＊）等に対応する文字情報「商品コード」等は、予め値札情報２２００（＊）に含ませておいてもよい。
【０１６９】
図２４に戻り、携帯端末認証手段３２０７は、生成した端末ＩＤ取得ＨＴＭＬ情報３４００１をＷｅｂ情報提供制御手段３２０１に与え、Ｗｅｂ情報提供制御手段３２０１は、端末ＩＤ取得ＨＴＭＬ情報３４００１を、ネットワーク通信制御装置３１とＧＷ装置４を介してｈｔｔｐレスポンスとしてネットワーク６に送出すると、ネットワーク６は端末ＩＤ取得ＨＴＭＬ情報３４００１を携帯電話端末１の無線ネットワーク通信装置１６に送信する（ステップＳ４５）。
【０１７０】
携帯電話端末１の無線ネットワーク通信装置１６は、端末ＩＤ取得ＨＴＭＬ情報３４００１をＷｅｂ情報利用手段１４２に与える。Ｗｅｂ情報利用手段１４２は、端末ＩＤ取得ＨＴＭＬ情報３４００１を表示装置１３に表示させる。
【０１７１】
図２６は、表示された端末ＩＤ取得ＨＴＭＬ情報３４００１を例示した図である。
【０１７２】
表示装置１３には、商品コード、商品名、商品コード等に対応する文字情報「商品コード」等、購入予定数量の入力を促す文字情報、並びに入力された購入予定数量を送信する送信ボタンが表示される。
【０１７３】
ユーザ１０は入力装置１２を操作して、購入予定数量を入力し送信ボタンを押すと、購入予定数量がＷｅｂ情報利用手段１４２に入力される。
【０１７４】
Ｗｅｂ情報利用手段１４２は、携帯端末ＩＤ記憶部１５１から携帯端末ＩＤ１００１を読み出す。そして、端末ＩＤ取得ＨＴＭＬ情報３４００１のＰＯＳＴメソッドに含まれるＵＲＩと、店舗コード２００１に等しい店舗コード４１０１と、商品コード２１０１（＊）に等しい商品コード４１０２（＊）と、トランザクションＩＤ４１０３（＊）と、読み出した携帯端末ＩＤ１００１に等しい携帯端末ＩＤ４１０４と、入力された購入予定数量に等しい購入予定数量４１０５とを含むｈｔｔｐリクエスト３４００２を生成し、無線ネットワーク通信装置１６とＧＷ装置４とを介してネットワーク６に送出すると、ネットワーク６はｈｔｔｐリクエスト３４００２を価格管理装置３のネットワーク通信制御装置３１に送信する（ステップＳ４７）。
【０１７５】
ネットワーク通信制御装置３１はｈｔｔｐリクエスト３４００２をＷｅｂ情報提供制御手段３２０１に与える。Ｗｅｂ情報提供制御手段３２０１は、ｈｔｔｐリクエスト３４００２に含まれるＵＲＩにＣＧＩ名を記述された手段、すなわち価格決定手段３２０９に対し、ｈｔｔｐリクエスト３４００２に含まれる店舗コード４１０１、商品コード４１０２（＊）、トランザクションＩＤ４１０３（＊）、携帯端末ＩＤ４１０４及び購入予定数量４１０５を与える。
【０１７６】
価格決定手段３２０９は、取引情報記憶部３３６において１つの取引情報を特定する。
【０１７７】
図２７は、取引情報の構成図である。
【０１７８】
取引情報３３６０は、取引の相手であるユーザの携帯端末ＩＤである携帯端末ＩＤ３３６００１と、ユーザのユーザＩＤであるユーザＩＤ３３６００２と、取引を示すトランザクションＩＤ３３６００３（＊）と、取引が行われる店舗の店舗コード３３６００４と、購買される商品の商品コード３３６００５（＊）と、購買される商品の属する商品カテゴリコード３３６００５Ａ（＊）と、購買される数量である数量３３６００６（＊）と、商品の価格表示を依頼された年月日と曜日と時刻とを示す価格表示依頼年月日曜日時刻３３６００７と、ユーザの携帯電話端末に表示される価格である表示価格３３６００８（＊）と、表示価格３３６００８（＊）の合計である購入セッション合計金額３３６００９と、購入の要否を示す購入要否フラグ３３６０１０と、購入要否フラグ３３６０１０を保存した年月日と曜日と時刻とを示す購入要否フラグ保存年月日曜日時刻３３６０１１と、購入が完了した年月日と曜日と時刻とを示す購入完了年月日曜日時刻３３６０１２とを含む。
【０１７９】
購入要否フラグ３３６０１０は、ユーザが購入を希望する場合は「０１」に、希望しない場合は「０２」に設定される。
【０１８０】
価格決定手段３２０９は、店舗コード４１０１及び携帯端末ＩＤ４１０４を含みかつ、購入要否フラグ３３６０１０と購入要否フラグ保存年月日曜日時刻３３６０１１とが設定されていない（Ｎｕｌｌ）取引情報３３６０を検索する。
【０１８１】
さらに、価格決定手段３２０９は、同一の取引情報３３６０が重複して記憶されるのを防ぐため、検索された取引情報３３６０の中から、商品コード４１０２（＊）を含むものを検索する。
【０１８２】
該当する取引情報３３６０が検索できた場合は、取引情報３３６０の数量３３６００６（＊）に購入予定数量４１０５（＊）を、購入要否フラグ保存年月日曜日時刻３３６０１１に現在の年月日と曜日と時刻を示す情報をそれぞれ内部タイマーにより設定する。
【０１８３】
一方、該当する取引情報３３６０が検索できなかった場合は、携帯端末ＩＤ３３６００１として携帯端末ＩＤ４１０４を、トランザクションＩＤ３３６００３（＊）としてトランザクションＩＤ４１０３（＊）と、店舗コード３３６００４として店舗コード４１０１を、商品コード３３６００５（＊）として商品コード４１０２（＊）を、商品カテゴリコード３３６００５Ａ（＊）として商品コード４１０２（＊）から検索した商品カテゴリコード２１０３（＊）を、数量３３６００６（＊）として購入予定数量４１０５（＊）を、価格表示依頼年月日曜日時刻３３６００７として現在の年月日と曜日と時刻を示す情報をそれぞれ含む取引情報３３６０を生成する。なお、他の項目にはＮｕｌｌである。
【０１８４】
このようにして検索あるいは検索及び生成などにより１つの取引情報３３６０が特定される。
【０１８５】
次に、価格決定手段３２０９は、価格決定パラメタ４１０６０（＊）を算出する（ステップＳ４９）。
【０１８６】
先ず、商品情報記憶部３３３から、商品コード３３６００５（＊）を含む商品情報２１００（＊）を検索する。プライスプラン記憶部３３４から、検索された商品情報２１００（＊）に含まれたプライスプランコード２１０５を含むプライスプラン情報２３００を検索し、検索されたプライスプラン情報２３００に含まれる価格決定パラメタ算出方式コード２３０２（＊）を取得する。
【０１８７】
次に、価格決定パラメタ算出方式コード２３０２（＊）に対応する価格決定パラメタ４１０６０（＊）を算出する。
【０１８８】
ここで、価格決定パラメタ算出方式コード２３０２について説明する。
【０１８９】
図２８は、価格決定パラメタ算出方式コード２３０２の説明図である。
【０１９０】
価格決定パラメタ算出方式コード２３０２は６桁の数字で構成される。
【０１９１】
[今回の購入内容に基づいた価格決定]
価格決定パラメタ算出方式コード２３０２の１，２桁目が０１の場合は今回の購入内容に基づいた価格決定を行うことを示す。その場合において、３，４桁目が０１の場合は購入金額に基づいた価格決定を行うことを示す。その場合において、５，６桁目が０１の場合は同一商品の購入金額合計に基づいた価格決定を行うことを示し、０２の場合は同一カテゴリの購入金額合計に基づいた価格決定を行うことを示し、０３の場合は店舗単位での購入金額合計に基づいた価格決定を行うことを示す。
【０１９２】
価格決定パラメタ算出方式コード２３０２の１，２，３，４桁目が「０１０１」の場合は、価格決定手段３２０９は、以下のように価格決定パラメタ４１０６０（＊）を算出する。
【０１９３】
なお、価格決定パラメタ４１０６０（＊）、すなわち１回の購入に含まれる一の商品についての価格決定パラメタ４１０６０ついて説明するが、価格決定手段３２０９は各商品について価格決定パラメタ４１０６０の算出を行うことで価格決定パラメタ４１０６０（＊）が求まる。価格決定パラメタ算出方式コード２３０２の１，２，３，４桁目が「０１０１」以外の場合や価格決定パラメタ算出方式コード２３０２の１，２桁目が「０１」以外の場合でも同様である。
【０１９４】
価格決定パラメタ算出方式コード２３０２が「０１０１０１」の場合は、価格決定手段３２０９は、商品情報記憶部３３３から今回の商品コード３３６００５を含む商品情報２１００を検索し、検索された商品情報２１００の基準売価２１０４に数量３３６００６を乗じたものを価格決定パラメタ４１０６０とする。
【０１９５】
価格決定パラメタ算出方式コード２３０２が「０１０１０２」の場合は、価格決定手段３２０９は、商品情報記憶部３３３から、今回の商品カテゴリコード３３６００５Ａを含む商品情報２１００を１以上検索し、検索された各商品情報２１００の基準売価２１０４に数量３３６００６を乗じ、該乗算結果の合計を価格決定パラメタ４１０６０とする。
【０１９６】
価格決定パラメタ算出方式コード２３０２が「０１０１０３」の場合は、価格決定手段３２０９は、商品情報記憶部３３３から今回の商品コード３３６００５（＊）を含む商品情報２１００（＊）を検索し、検索された各商品情報２１００の基準売価２１０４（＊）に数量３３６００６（＊）を乗じ、該乗算結果の合計を価格決定パラメタ４１０６０とする。
【０１９７】
さて、価格決定パラメタ算出方式コード２３０２の１，２桁目が０１の場合は今回の購入内容に基づいた価格決定を行うことを示すことは前述した。その場合において、３，４桁目が０２の場合は購入数量に基づいた価格決定を行うことを示す。その場合において、５，６桁目が０１の場合は同一商品の購入数量合計に基づいた価格決定を行うことを示し、０２の場合は同一カテゴリの購入数量合計に基づいた価格決定を行うことを示し、０３の場合は店舗単位での購入数量合計に基づいた価格決定を行うことを示す。
【０１９８】
価格決定パラメタ算出方式コード２３０２が「０１０２０１」の場合は、今回の数量３３６００６を価格決定パラメタ４１０６０とする。
【０１９９】
価格決定パラメタ算出方式コード２３０２が「０１０２０２」の場合は、今回の数量３３６００６（＊）の中から、対応する商品カテゴリコード３３６００５Ａが同一であるものを抽出し、該抽出した数量３３６００６の合計を価格決定パラメタ４１０６０とする。
【０２００】
価格決定パラメタ算出方式コード２３０２が「０１０２０３」の場合は、今回の数量３３６００６（＊）の合計を価格決定パラメタ４１０６０とする。
【０２０１】
さて、価格決定パラメタ算出方式コード２３０２の１，２桁目が０１の場合において、３，４桁目が０３の場合は購入時期に基づいた価格決定を行うことを示す。その場合においては、５，６桁目が０４であり、その場合は指定された期間に応じた価格決定を行うことを示す。
【０２０２】
価格決定パラメタ算出方式コード２３０２が「０１０３０４」の場合は、価格決定手段３２０９は、今回の価格表示依頼年月日曜日時刻３３６００７を価格決定パラメタ４１０６０とする。
【０２０３】
さて、価格決定パラメタ算出方式コード２３０２の１，２桁目が０１の場合において、３，４桁目が０４の場合は地理的特性に基づいた価格決定を行うことを示す。その場合において、５，６桁目が０５の場合は商品が購入される店舗に基づいた価格決定を行うことを示し、０６の場合は店舗が含まれるエリアに基づいた価格決定を行うことを示す。
【０２０４】
価格決定パラメタ算出方式コード２３０２が「０１０４０５」の場合は、価格決定手段３２０９は、今回の店舗コード３３６００４を価格決定パラメタ４１０６０とする。
【０２０５】
価格決定パラメタ算出方式コード２３０２が「０１０４０５」の場合は、価格決定手段３２０９は、店舗情報記憶部３３１から、今回の店舗コード３３６００４を含む店舗情報２０００を検索し、該検索された店舗情報２０００に含まれる店舗郵便番号２００３を価格決定パラメタ４１０６０とする。
【０２０６】
さて、価格決定パラメタ算出方式コード２３０２の１，２桁目が０１の場合において、３，４桁目が０５の場合はバンドルされた商品に基づいた価格決定を行うことを示す。その場合においては、５，６桁目が０７であり、その場合は商品の組み合わせに応じた価格決定を行うことを示す。
【０２０７】
価格決定パラメタ算出方式コード２３０２が「０１０５０７」の場合は、価格決定手段３２０９は、バンドル商品指定情報記憶部３３５から、今回の商品コード３３６００５を含むバンドル商品指定情報２４００を検索し、該検索された各バンドル商品指定情報２４００を構成するバンドル商品コード２４０１の全てが取引情報３３６０に含まれていれば、価格決定パラメタ４１０６０を「１」とし、一方、含まれていなければ「０」とする。
【０２０８】
[過去の履歴に基づいた価格決定]
価格決定パラメタ算出方式コード２３０２の１，２桁目が０２の場合は過去の履歴に基づいた価格決定を行うことを示す。その場合において、３，４桁目が０１の場合は購入金額に基づいた価格決定を行うことを示す。その場合において、５，６桁目が０１の場合は同一商品の購入金額合計に基づいた価格決定を行うことを示し、０２の場合は同一カテゴリの購入金額合計に基づいた価格決定を行うことを示し、０３の場合は店舗単位での購入金額合計に基づいた価格決定を行うことを示す。
【０２０９】
価格決定パラメタ算出方式コード２３０２が「０２０１０１」の場合は、価格決定手段３２０９は、先ず、商品情報記憶部３３３から、今回の商品コード３３６００５を含む商品情報２１００を検索し、該検索された商品情報から基準売価２１０４を抽出する。また、取引情報記憶部３３６から、今回の携帯端末ＩＤ３３６００１、今回の店舗コード３３６００４並びに今回の商品コード３３６００５を含みかつ購入完了年月日曜日時刻３３６０１２がＮｕｌｌでない１以上の取引情報３３６０を検索し、該検索された各取引情報から数量３３６００６を抽出する。そして、抽出された基準売価に対し、抽出された各数量３３６００６を乗じ、該乗算の結果の合計を価格決定パラメタ４１０６０とする。
【０２１０】
価格決定パラメタ算出方式コード２３０２が「０２０１０２」の場合は、価格決定手段３２０９は、先ず、商品情報記憶部３３３から、今回の商品コード３３６００５を含む商品情報２１００を検索し、該検索された商品情報から基準売価２１０４と商品カテゴリコード２１０３とを抽出する。また、取引情報記憶部３３６から、今回の携帯端末ＩＤ３３６００１及び店舗コード３３６００４並びに、抽出した商品カテゴリコード２１０３を含みかつ購入完了年月日曜日時刻３３６０１２がＮｕｌｌでない１以上の取引情報３３６０を検索し、該検索された各取引情報から数量３３６００６を抽出する。そして、抽出された基準売価２１０４に対し、抽出された各数量３３６００６を乗じ、該乗算の結果の合計を価格決定パラメタ４１０６０とする。
【０２１１】
価格決定パラメタ算出方式コード２３０２が「０２０１０３」の場合は、価格決定手段３２０９は、先ず、商品情報記憶部３３３から、今回の商品コード３３６００５を含む商品情報２１００を検索し、該検索された商品情報から基準売価２１０４を抽出する。また、取引情報記憶部３３６から、今回の携帯端末ＩＤ３３６００１及び今回の店舗コード３３６００４を含みかつ購入完了年月日曜日時刻３３６０１２がＮｕｌｌでない１以上の取引情報３３６０を検索し、該検索された各取引情報から数量３３６００６を抽出する。そして、抽出された基準売価２１０４に対し、抽出された各数量３３６００６を乗じ、該乗算の結果の合計を価格決定パラメタ４１０６０とする。
【０２１２】
さて、価格決定パラメタ算出方式コード２３０２の１，２桁目が０２の場合において、３，４桁目が０２の場合は購入数量に基づいた価格決定を行うことを示す。その場合において、５，６桁目が０１の場合は同一商品の購入数量合計に基づいた価格決定を行うことを示し、０２の場合は同一カテゴリの購入数量合計に基づいた価格決定を行うことを示し、０３の場合は店舗単位での購入数量合計に基づいた価格決定を行うことを示す。
【０２１３】
価格決定パラメタ算出方式コード２３０２が「０２０２０１」の場合は、価格決定手段３２０９は、取引情報記憶部３３６から、今回の携帯端末ＩＤ３３６００１、今回の店舗コード３３６００４及び今回の商品コード３３６００５を含みかつ購入完了年月日曜日時刻３３６０１２がＮｕｌｌでない１以上の取引情報３３６０を検索し、該検索された各取引情報から数量３３６００６を抽出し、該抽出した数量の合計を価格決定パラメタ４１０６０とする。
【０２１４】
価格決定パラメタ算出方式コード２３０２が「０２０２０２」の場合は、価格決定手段３２０９は、先ず、商品情報記憶部３３３から、今回の商品コード３３６００５を含む商品情報２１００を検索し、該検索された商品情報から商品カテゴリコード２１０３を抽出する。また、取引情報記憶部３３６から、今回の携帯端末ＩＤ３３６００１、今回の店舗コード３３６００４及び前記抽出した商品カテゴリコード２１０３を含みかつ購入完了年月日曜日時刻３３６０１２がＮｕｌｌでない１以上の取引情報３３６０を検索し、該検索された各取引情報から数量３３６００６を抽出し、該抽出した数量の合計を価格決定パラメタ４１０６０とする。
【０２１５】
価格決定パラメタ算出方式コード２３０２が「０２０２０３」の場合は、価格決定手段３２０９は、先ず、取引情報記憶部３３６から、今回の携帯端末ＩＤ３３６００１及び今回の店舗コード３３６００４を含みかつ購入完了年月日曜日時刻３３６０１２がＮｕｌｌでない１以上の取引情報３３６０を検索し、該検索された各取引情報から数量３３６００６を抽出し、該抽出された数量の合計を価格決定パラメタ４１０６０とする。
【０２１６】
さて、価格決定パラメタ算出方式コード２３０２の１，２桁目が０２の場合において、３，４桁目が０３の場合は購入時期に基づいた価格決定を行うことを示す。その場合において、５，６桁目が０８の場合は前回の購入時期からの経過時間に基づいた価格決定を行うことを示し、０９の場合は前回の来店時期からの経過時間に基づいた価格決定を行うことを示す。
【０２１７】
価格決定パラメタ算出方式コード２３０２が「０２０３０８」の場合は、価格決定手段３２０９は、先ず、取引情報記憶部３３６から、今回の携帯端末ＩＤ３３６００１及び今回の店舗コード３３６００４を含みかつ購入完了年月日曜日時刻３３６０１２が直近の年月日と曜日と時刻とを示す取引情報３３６０を検索する。そして、該直近の購入完了年月日曜日時刻３３６０１２により示される時刻から今回の価格表示依頼年月日曜日時刻３３６００７により示される時刻までの経過時間長を算出し、該経過時間長を価格決定パラメタ４１０６０とする。
【０２１８】
価格決定パラメタ算出方式コード２３０２が「０２０３０９」の場合は、価格決定手段３２０９は、先ず、取引情報記憶部３３６から、今回の携帯端末ＩＤ３３６００１及び今回の店舗コード３３６００４を含みかつ購入完了年月日曜日時刻３３６０１２がＮｕｌｌでない取引情報３３６０を検索する。そして、検索した取引情報３３６０から直近の価格表示依頼年月日曜日時刻３３６００７を抽出し、該直近の価格表示依頼年月日曜日時刻３３６００７により示される時刻から今回の価格表示依頼年月日曜日時刻３３６００７により示される時刻までの経過時間長を算出し、該経過時間長を価格決定パラメタ４１０６０とする。
【０２１９】
さて、価格決定パラメタ算出方式コード２３０２の１，２桁目が０２の場合において、３，４桁目が０５の場合はバンドルされた商品に基づいた価格決定を行うことを示す。その場合においては、５，６桁目が０７であり、その場合はアップグレードの価格に基づいた価格決定を行うことを示す。
【０２２０】
さて、価格決定パラメタ算出方式コード２３０２の１，２桁目が０２の場合において、３，４，５，６桁目が０５０７の場合は、例えばバンドリングされて一括購入される複数商品の過去の購入実績に基づいた価格決定を行うことを示す。例えば、当該複数商品のいずれかをアップグレードで再購入しようとする場合には価格を下げて表示するために利用される。
【０２２１】
価格決定パラメタ算出方式コード２３０２が「０２０５０７」の場合は、価格決定手段３２０９は、先ず、バンドル商品指定情報記憶部３３５から、今回の商品コード３３６００５を含むバンドル商品指定情報２４００を検索し、該検索された各バンドル商品指定情報２４００を構成するバンドル商品コード２４０１の全てが今回の取引情報３３６０に含まれていれば、価格決定パラメタ４１０６０を「１」とする。一方、含まれていなければ、取引情報記憶部３３６から、今回の携帯端末ＩＤ３３６００１及び今回の店舗コード３３６００４を含みかつ購入完了年月日曜日時刻３３６０１２がＮｕｌｌでない１以上の取引情報３３６０を検索する。そして、前述の検索された各バンドル商品指定情報２４００を構成するバンドル商品コード２４０１の全てが、検索された１以上の取引情報３３６０のいずれか１以上に含まれていれば、価格決定パラメタ４１０６０を「１」とし、含まれていなければ「０」とする。
【０２２２】
さて、価格決定パラメタ算出方式コード２３０２の１，２桁目が０２の場合において、３，４桁目が０６の場合は購入回数に基づいた価格決定を行うことを示す。その場合においては、５，６桁目が０１の場合は同一商品の購入回数合計に基づいた価格決定を行うことを示し、０２の場合は同一カテゴリの購入回数合計に基づいた価格決定を行うことを示し、０３の場合は店舗単位での購入回数合計に基づいた価格決定を行うことを示す。
【０２２３】
価格決定パラメタ算出方式コード２３０２が「０２０６０１」の場合は、価格決定手段３２０９は、取引情報記憶部３３６から、今回の携帯端末ＩＤ３３６００１、今回の店舗コード３３６００４及び今回の商品コード３３６００５を含みかつ購入完了年月日曜日時刻３３６０１２がＮｕｌｌでない取引情報３３６０を検索し、該検索された取引情報３３６０の数を価格決定パラメタ４１０６０とする。
【０２２４】
価格決定パラメタ算出方式コード２３０２が「０２０６０２」の場合は、価格決定手段３２０９は、先ず、商品情報記憶部３３３から今回の商品コード３３６００５を含む商品情報２１００を検索し、該検索された商品情報２１００から商品カテゴリコード２１０３を抽出する。また、取引情報記憶部３３６から、今回の携帯端末ＩＤ３３６００１、今回の店舗コード３３６００４及び抽出した商品カテゴリコード２１０３を含みかつ購入完了年月日曜日時刻３３６０１２がＮｕｌｌでない取引情報３３６０を検索し、該検索された取引情報３３６０の数を価格決定パラメタ４１０６０とする。
【０２２５】
価格決定パラメタ算出方式コード２３０２が「０２０６０３」の場合は、価格決定手段３２０９は、取引情報記憶部３３６から、今回の携帯端末ＩＤ３３６００１、今回の店舗コード３３６００４を含みかつ購入完了年月日曜日時刻３３６０１２がＮｕｌｌでない取引情報３３６０を検索し、該検索された取引情報３３６０の数を価格決定パラメタ４１０６０とする。
【０２２６】
さて、価格決定パラメタ算出方式コード２３０２の１，２桁目が０２の場合において、３，４桁目が０７の場合は価格が参照された回数に基づいた価格決定を行うことを示す。その場合においては、５，６桁目が１０であり、その場合は同一商品の価格が参照された回数に基づいた価格決定を行うことを示す。
【０２２７】
価格決定パラメタ算出方式コード２３０２が「０２０７１０」の場合は、価格決定手段３２０９は、取引情報記憶部３３６から、今回の携帯端末ＩＤ３３６００１、今回の店舗コード３３６００４及び今回の商品コード３３６００５を含む取引情報３３６０を検索し、該検索された取引情報３３６０の数を価格決定パラメタ４１０６０とする。
【０２２８】
[顧客特性に基づいた価格決定]
価格決定パラメタ算出方式コード２３０２の１，２，３，４桁目が０３０８の場合は顧客特性に基づいた価格決定を行うことを示す。その場合において、５，６桁目が１１の場合は年齢に基づいた価格決定を行うことを示し、１２の場合は性別に基づいた価格決定を行うことを示し、１３の場合はユーザが居住する地域に基づいた価格決定を行うことを示し、１４の場合はユーザの誕生日に限って特別な価格決定を行うことを示し、１５の場合は電子メールアドレスに基づいた価格決定を行うことを示す。
【０２２９】
価格決定パラメタ算出方式コード２３０２が「０３０８１１」の場合は、価格決定手段３２０９は、顧客情報記憶部３３２から、今回の携帯端末ＩＤ３３６００１を含む顧客情報１０００を検索し、該検索された顧客情報１０００に含まれる生年月日１０１０から年齢を算出し、該年齢を価格決定パラメタ４１０６０とする。
【０２３０】
価格決定パラメタ算出方式コード２３０２が「０３０８１２」の場合は、価格決定手段３２０９は、顧客情報記憶部３３２から、今回の携帯端末ＩＤ３３６００１を含む顧客情報１０００を検索し、該検索された顧客情報１０００に含まれる性別１０１１に応じた値を価格決定パラメタ４１０６０とする。
【０２３１】
価格決定パラメタ算出方式コード２３０２が「０３０８１３」の場合は、価格決定手段３２０９は、顧客情報記憶部３３２から、今回の携帯端末ＩＤ３３６００１を含む顧客情報１０００を検索し、該検索された顧客情報１０００に含まれる郵便番号１００５を価格決定パラメタ４１０６０とする。
【０２３２】
価格決定パラメタ算出方式コード２３０２が「０３０８１４」の場合は、価格決定手段３２０９は、顧客情報記憶部３３２から、今回の携帯端末ＩＤ３３６００１を含む顧客情報１０００を検索し、該検索された顧客情報１０００に含まれる生年月日１０１０から月日を特定し、これを現在の月日に一致すれば、価格決定パラメタ４１０６０を「１」とし、一致しなければ「０」とする。
【０２３３】
価格決定パラメタ算出方式コード２３０２が「０３０８１５」の場合は、価格決定手段３２０９は、顧客情報記憶部３３２から、今回の携帯端末ＩＤ３３６００１を含む顧客情報１０００を検索し、該検索された顧客情報１０００に含まれるメールアドレス１００９の＠以降の文字列が所定のインターネットサービスプロバイダに対応するものであった場合は価格決定パラメタ４１０６０を「１」とし、対応するものでなければ「０」とする。
【０２３４】
このようにして、価格決定パラメタ４１０６０（＊）が求まると、価格決定手段３２０９は、価格決定パラメタ４１０６０（＊）に対応する表示価格４１０６（＊）を算出し（ステップＳ５１）、該表示価格４１０６（＊）を表示価格３３６００８（＊）に設定する。
【０２３５】
なお、表示価格４１０６（＊）、すなわち１回の購入に含まれる一の商品についての表示価格４１０６について説明するが、価格決定手段３２０９は各商品について表示価格４１０６の算出を行うことで表示価格４１０６（＊）が求まる。  価格決定手段３２０９は、ステップＳ４９で検索したプライスプラン情報２３００から料金計算方式フラグ２３０３を抽出する。
【０２３６】
料金計算方式フラグ２３０３が料金表に基づいて価格を決定することを示している場合は、料金表であるレート／料金表コード２３０４と既に求めた価格決定パラメタ４１０６０とに基づいて表示価格４１０６を求める。
【０２３７】
図２９は、レート／料金表コード２３０４（料金表）を例示した図である。
【０２３８】
具体的には、同一商品の購入数量合計の場合に「０１０２０１」である価格決定パラメタ算出方式コード２３０２と、レート／料金表コード２３０４が料金表である場合に「１」である料金計算方式フラグ２３０３とともに、プライスプラン情報２３００に含まれる当該レート／料金表コード２３０４を示す図である。  つまり、レート／料金表コード２３０４にあっては、複数の価格決定パラメタ４１０６０のそれぞれに応じた価格が当該パラメタに対応づけられている。
【０２３９】
したがって、料金計算方式フラグ２３０３が「１」の場合は、価格決定手段３２０９は、レート／料金表コード２３０４において、算出された価格決定パラメタ４１０６０に対応づけられた価格を表示価格４１０６とする。
【０２４０】
一方、料金計算方式フラグ２３０３が「０」の場合は、レート／料金表コード２３０４にあっては、複数の価格決定パラメタ４１０６０のそれぞれに応じた比率（基準価格に対する比率（レート））が当該パラメタに対応づけられている。  価格決定手段３２０９は、先ず、商品情報記憶部３３３から、今回の商品コード３３６００５を含む商品情報２１００を検索し、該商品情報２１００から基準売価２１０４を抽出する。また、レート／料金表コード２３０４（レート表）において、算出された価格決定パラメタ４１０６０に対応づけられたレートを抽出する。そして、抽出された基準売価２１０４に抽出されたレートを乗じ、乗算結果を表示価格４１０６とする。
【０２４１】
こうして表示価格４１０６（＊）が算出されると、価格決定手段３２０９は、表示価格４１０６（＊）に今回の数量３３６００６（＊）を乗じ、乗算結果の合計を合計表示価格４１０７（＊）とし（ステップＳ５３）、該合計表示価格４１０７を購入セッション合計金額３６００９に設定する。
【０２４２】
次に、価格決定手段３２０９は、商品情報記憶部３３３から、商品コード４１０２（＊）を含む商品情報２１００（＊）を検索するとともに、該商品情報２１００（＊）から商品名２１０２（＊）を商品名４１０８（＊）として抽出する。
【０２４３】
そして、価格決定手段３２０９は、価格表示ＨＴＭＬ情報３４００３を生成する。
【０２４４】
図３０は、価格表示ＨＴＭＬ情報３４００３を例示した図である。
【０２４５】
価格表示ＨＴＭＬ情報３４００３は、ＰＯＳＴメソッドに含まれるＵＲＩ「http://価格管理装置３のアドレス/販売情報管理手段３２１０のＣＧＩ名」、ｈｔｔｐリクエスト３４００２に含まれていた店舗コード４１０１、商品コード４１０２（＊）、トランザクションＩＤ４１０３（＊）及び購入予定数量４１０５（＊）、並びに算出された表示価格４１０６（＊）及び合計表示価格４１０７、並びに抽出した商品名４１０８（＊）、並びに店舗コード４１０１に対応する文字情報等、並びに購入するときに押される購入ボタンと購入しないときに押される非購入ボタンを表示させる情報、並び購入ボタンが押されたときに返却される情報「ｂｕｙ」と非購入ボタンがにが押されたときに返却される情報「ｄｅｌ」などを含む。
【０２４６】
図２４に戻り、価格決定手段３２０９は、生成した価格表示ＨＴＭＬ情報３４００３をＷｅｂ情報提供制御手段３２０１に与え、Ｗｅｂ情報提供制御手段３２０１は、価格表示ＨＴＭＬ情報３４００３を、ネットワーク通信制御装置３１とＧＷ装置４を介してｈｔｔｐレスポンスとしてネットワーク６に送出すると、ネットワーク６は価格表示ＨＴＭＬ情報３４００３を携帯電話端末１の無線ネットワーク通信装置１６に送信する（ステップＳ５５）。
【０２４７】
携帯電話端末１の無線ネットワーク通信装置１６は、価格表示ＨＴＭＬ情報３４００３をＷｅｂ情報利用手段１４２に与える。Ｗｅｂ情報利用手段１４２は、価格表示ＨＴＭＬ情報３４００３を表示装置１３に表示させる。
【０２４８】
図３１は、表示された価格表示ＨＴＭＬ情報３４００３を例示した図である。
【０２４９】
表示装置１３には、商品コード４１０２（＊）、商品名４１０８（＊）、購入予定数量４１０５（＊）、表示価格４１０６（＊）、商品コード等に対応する文字情報「商品コード」等、合計表示価格４１０７、購入するときに押される購入ボタン、購入しないときに押される非購入ボタンが表示される。
【０２５０】
[商品購入登録段階]
図３２は、商品購入登録段階のフローチャートである。
【０２５１】
ユーザ１０は購入意志があれば入力装置１２を操作して購入ボタンを押す。するとＷｅｂ情報利用手段１４２に購入ボタンが押されたことが通知され、非購入ボタンを押すとＷｅｂ情報利用手段１４２に非購入ボタンが押されたことが通知される。Ｗｅｂ情報利用手段１４２は、購入ボタンが押されたことが通知されたときは購入要否フラグ４２０４として「ｂｕｙ」を設定し、一方、非購入ボタンが押されたことが通知されたときは購入要否フラグ４２０４として「ｄｅｌ」を設定する。
【０２５２】
Ｗｅｂ情報利用手段１４２は、価格表示ＨＴＭＬ情報３４００３のＰＯＳＴメソッドに含まれるＵＲＩ、店舗コード４２０１、商品コード４２０２（＊）及びトランザクションＩＤ４２０３（＊）、並びに設定した購入要否フラグ４２０４を含むｈｔｔｐリクエスト３５００１を無線ネットワーク通信装置１６とＧＷ装置４とを介してネットワーク６に送出すると、ネットワーク６はｈｔｔｐリクエスト３５００１を価格管理装置３のネットワーク通信制御装置３１に送信する（ステップＳ６１）。
【０２５３】
ネットワーク通信制御装置３１はｈｔｔｐリクエスト３５００１をＷｅｂ情報提供制御手段３２０１に与える。Ｗｅｂ情報提供制御手段３２０１は、ｈｔｔｐリクエスト３５００１に含まれるＵＲＩにＣＧＩ名を記述された手段、すなわち販売情報管理手段３２１０に対し、ｈｔｔｐリクエスト３５００１に含まれる店舗コード４２０１、商品コード４２０２（＊）、トランザクションＩＤ４２０３（＊）及び購入要否フラグ４２０４を与える。
【０２５４】
販売情報管理手段３２１０は、取引情報記憶部３３６から、店舗コード４２０１及びトランザクションＩＤ４２０３（＊）を含む取引情報３３６０を検索する。なお、検索された取引情報３３６０に含まれる商品コード３３６００５（＊）と与えられた商品コード４２０２（＊）とが一致するか否かを判定し、一致しなければ処理を中止するなどとしてもよい。
【０２５５】
さて、販売情報管理手段３２１０は、与えられた購入要否フラグ４２０４が「ｂｕｙ」であれば、検索された取引情報３３６０の購入要否フラグ３３６０１０に「０１」を設定し、一方、購入要否フラグ４２０４が「ｄｅｌ」であれば、検索された取引情報３３６０の購入要否フラグ３３６０１０に「０２」を設定し、購入要否フラグ保存年月日曜日時刻３３６０１１に現在の年月日と曜日と時刻を示す情報を内部タイマーにより設定する。
【０２５６】
＜購入要否フラグ４２０４が「ｂｕｙ」＞
ここで、購入要否フラグ４２０４が「ｂｕｙ」であることから購入要否フラグ３３６０１０を「０１」に設定した場合は以下の処理を行う。
【０２５７】
販売情報管理手段３２１０は、店舗情報記憶部３３１から、店舗コード４２０１を含む店舗情報２０００を検索し、検索された店舗情報２０００から店舗名２００４と店舗メールアドレス２００２とを抽出する。
【０２５８】
また、販売情報管理手段３２１０は、商品情報記憶部３３３から、商品コード４２０２（＊）を含む商品情報２１００（＊）を検索し、検索された商品情報２１００（＊）から商品名２１０２及び基準売価２１０４を抽出する。
【０２５９】
次に、販売情報管理手段３２１０は、購入登録完了情報３５００２を生成する。
【０２６０】
図３３は、購入登録完了情報３５００２を例示した図である。
【０２６１】
購入登録完了情報３５００２には、検索された取引情報３３６０の携帯端末ＩＤ３３６００１、トランザクションＩＤ３３６００３（＊）、店舗コード３３６００４、商品コード３３６００５（＊）、数量３３６００６（＊）、価格表示依頼年月日曜日時刻３３６００７、表示価格３３６００８（＊）、購入セッション合計金額３３６００９及び購入要否フラグ保存年月日曜日時刻３３６０１１、並びに抽出された商品名２１０２（＊）、基準売価２１０４（＊）及び店舗名２００４がそれぞれ、携帯端末ＩＤ２５２０１、トランザクションＩＤ２５２０２（＊）、店舗コード２５２０３、商品コード２５２０４（＊）、数量２５２０５（＊）、価格表示依頼年月日曜日時刻２５２０６、表示価格２５２０７（＊）、購入セッション合計金額２５２０８、購入要否フラグ保存年月日曜日時刻２５２０９、商品名２５２１１（＊）、基準売価２５２１２（＊）、店舗名２５２１３として含まれる。なお、購入登録完了情報３５００２にあっては、店舗コード３３６００４とトランザクションＩＤ３３６００３（＊）は、リンク先のＵＲＩの一部として「http://価格管理装置３のアドレス/販売完了情報管理手段３２１１のＣＧＩ名」に付加されもしている。また、購入登録完了情報３５００２には、携帯端末ＩＤ２５２０１等に対応する文字情報等も含まれる。
【０２６２】
図３２に戻り、販売情報管理手段３２１０は、生成した購入登録完了情報３５００２と抽出した店舗メールアドレス２００２とをメール情報提供制御手段３２０２に与え、メール情報提供制御手段３２０２は、購入登録完了情報３５００２をネットワーク通信制御装置３１を介して、店舗メールアドレス２００２を宛先とした電子メールとしてネットワーク６に送出すると、ネットワーク６は購入登録完了情報３５００２を保持し、店舗端末２のメール情報利用手段２４３は保持された購入登録完了情報３５００２をネットワーク通信装置２６を介して取得する（ステップＳ６３）。
【０２６３】
メール情報利用手段２４３は、購入登録完了情報３５００２を表示装置２３に表示させるとともに、ユーザローカル認証情報記憶部２５２に記憶させる。
【０２６４】
このように価格管理装置３は、ユーザの購入意志が通知されたときに限って表示価格を店舗端末に通知するので、購入意志がない場合や誤操作がされた場合などに店舗端末に無用に価格が表示される不都合を防ぐことができる。
【０２６５】
次に、販売情報管理手段３２１０は、購入登録完了ＨＴＭＬ情報１５２０００を生成する。
【０２６６】
購入登録完了ＨＴＭＬ情報１５２０００には、購入登録が完了したことを示す文字情報、ＰＯＳＴメソッドに含まれるＵＲＩ「http://価格管理装置３のアドレス/販売完了情報管理手段３２１１のＣＧＩ名」が含まれ、さらに購入登録完了情報３５００２に含まれるトランザクションＩＤ２５２０２（＊）、店舗コード２５２０３、商品コード２５２０４（＊）、数量２５２０５（＊）、表示価格２５２０７（＊）、購入セッション合計金額２５２０８、商品名２５２１１（＊）、店舗名２５２１３のそれぞれが、トランザクションＩＤ１５２０１（＊）、店舗コード１５２０２、商品コード１５２０３（＊）、数量１５２０４（＊）、表示価格１５２０５（＊）、購入セッション合計金額１５２０６、商品名１５２０７（＊）、店舗名１５２０８として含まれる。また、購入登録完了ＨＴＭＬ情報１５２０００には、店舗コード１５２０３等に対応する文字情報等も含まれる。
【０２６７】
図３２に戻り、販売情報管理手段３２１０は、生成した購入登録完了ＨＴＭＬ情報１５２０００をＷｅｂ情報提供制御手段３２０１に与え、Ｗｅｂ情報提供制御手段３２０１は、購入登録完了ＨＴＭＬ情報１５２０００を、ネットワーク通信制御装置３１とＧＷ装置４を介してｈｔｔｐレスポンスとしてネットワーク６に送出すると、ネットワーク６は購入登録完了ＨＴＭＬ情報１５２０００を携帯電話端末１の無線ネットワーク通信装置１６に送信する（ステップＳ６５）。
【０２６８】
携帯電話端末１の無線ネットワーク通信装置１６は、購入登録完了ＨＴＭＬ情報１５２０００をＷｅｂ情報利用手段１４２に与える。Ｗｅｂ情報利用手段１４２は、購入登録完了ＨＴＭＬ情報１５２０００を表示装置１３に表示させるとともに、受信情報記憶部１５２に記憶させる。
【０２６９】
図３４は、表示された購入登録完了ＨＴＭＬ情報１５２０００を例示した図である。
【０２７０】
表示装置１３には、購入登録が完了したことを示す文字情報、トランザクションＩＤ１５２０１（＊）、店舗コード１５２０２、商品コード１５２０３（＊）、数量１５２０４（＊）、表示価格１５２０５（＊）、購入セッション合計金額１５２０６、商品名１５２０７（＊）、店舗名１５２０８、店舗コード１５２０２等に対応する文字情報等が表示される。
【０２７１】
＜購入要否フラグ４２０４が「ｄｅｌ」＞
一方、購入要否フラグ４２０４が「ｄｅｌ」であることから購入要否フラグ３３６０１０を「０２」に設定した場合は以下の処理を行う。
【０２７２】
販売情報管理手段３２１０は、削除完了ＨＴＭＬ情報１５２１００を生成する。
【０２７３】
削除完了ＨＴＭＬ情報１５２１００には、登録削除が完了したことを示す文字情報と、ＰＯＳＴメソッドに含まれるＵＲＩ「http://価格管理装置３のアドレス/販売完了情報管理手段３２１１のＣＧＩ名」とが含まれ、さらに購入登録完了情報３５００２に含まれるトランザクションＩＤ２５２０２（＊）、店舗コード２５２０３、商品コード２５２０４（＊）、数量２５２０５（＊）、表示価格２５２０７（＊）、購入セッション合計金額２５２０８、商品名２５２１１（＊）、店舗名２５２１３のそれぞれが、トランザクションＩＤ１５２０１（＊）、店舗コード１５２０２、商品コード１５２０３（＊）、数量１５２０４（＊）、表示価格１５２０５（＊）、購入セッション合計金額１５２０６、商品名１５２０７（＊）、店舗名１５２０８として含まれる。また、購入登録完了ＨＴＭＬ情報１５２０００には、店舗コード１５２０３等に対応する文字情報等も含まれる。
【０２７４】
図３２に戻り、販売情報管理手段３２１０は、生成した削除完了ＨＴＭＬ情報１５２１００をＷｅｂ情報提供制御手段３２０１に与え、Ｗｅｂ情報提供制御手段３２０１は、削除完了ＨＴＭＬ情報１５２１００を、ネットワーク通信制御装置３１とＧＷ装置４を介してｈｔｔｐレスポンスとしてネットワーク６に送出すると、ネットワーク６は削除完了ＨＴＭＬ情報１５２１００を携帯電話端末１の無線ネットワーク通信装置１６に送信する（ステップＳ６５）。
【０２７５】
携帯電話端末１の無線ネットワーク通信装置１６は、削除完了ＨＴＭＬ情報１５２１００をＷｅｂ情報利用手段１４２に与える。Ｗｅｂ情報利用手段１４２は、削除完了ＨＴＭＬ情報１５２１００を表示装置１３に表示させるとともに、受信情報記憶部１５２に記憶させる。
【０２７６】
図３５は、表示された削除完了ＨＴＭＬ情報１５２１００を例示した図である。
【０２７７】
表示装置１３には、登録削除が完了したことを示す文字情報、トランザクションＩＤ１５２０１（＊）、店舗コード１５２０２、商品コード１５２０３（＊）、数量１５２０４（＊）、表示価格１５２０５（＊）、購入セッション合計金額１５２０６、商品名１５２０７（＊）、店舗名１５２０８、店舗コード１５２０２等に対応する文字情報等が表示される。
【０２７８】
ユーザ１０が購入を希望して、携帯電話端末１の入力装置１２に所定の操作をすると、Ｗｅｂ情報利用手段１４２は、受信情報記憶部１５２から、保存した購入登録完了ＨＴＭＬ情報１５２０００を読み出し、ローカル通信制御装置１７を介して、店舗端末２のローカル通信制御装置２７へ送信する（ステップＳ６７）。
【０２７９】
なお、ローカル通信制御装置１７とローカル通信制御装置２７との間の通信は、有線、赤外線、Bluetooth（ブルートゥース）などの短距離無線通信などにより行われる。
【０２８０】
店舗端末２のローカル通信制御装置２７は、購入登録完了ＨＴＭＬ情報１５２０００をユーザローカル認証手段２４４に与える。ユーザローカル認証手段２４４は、ユーザローカル認証情報記憶部２５２から、与えられた購入登録完了ＨＴＭＬ情報１５２０００内のトランザクションＩＤ１５２０１（＊）を含む購入登録完了情報３５００２を検索する。
【０２８１】
ユーザローカル認証情報記憶部２５２は、与えられた購入登録完了ＨＴＭＬ情報１５２０００と検索した購入登録完了情報３５００２とを表示装置２３に表示させる（ステップＳ６９）。
【０２８２】
店舗オペレータ２１０は、表示された購入登録完了ＨＴＭＬ情報１５２０００と検索した購入登録完了情報３５００２の内容が一致していることを確認する。  なお、例えば価格などが一致していない場合は、何らかの情報改ざんが行われた可能性があるが、店舗オペレータ２１０が以降の操作を中止することで改ざんされた価格で取引が継続されるのを防止できる。
【０２８３】
また、店舗オペレータ２１０は、ユーザ１０に自動車免許証などの提示を求め、表示された購入登録完了ＨＴＭＬ情報１５２０００内の情報と当該免許証の情報とを照合し内容が一致しているかを確認し、不一致点があれば、以降の操作を中止することで、携帯電話端末１を拾得した他人に商品が販売されるのを防止できる。
【０２８４】
一方、ユーザ１０は、表示装置２３に表示された購入登録完了ＨＴＭＬ情報１５２０００または購入登録完了情報３５００２の内容と、実際の商品の内容が一致していることを確認する。
【０２８５】
なお、携帯電話端末１が店舗端末２へ購入登録完了ＨＴＭＬ情報１５２０００を送信し、表示された購入登録完了ＨＴＭＬ情報１５２０００を店舗オペレータ２１０が店舗端末２で確認する代わりに、ユーザ１０が、携帯電話端末１に印刷された携帯端末ＩＤ１００１を店舗オペレータ２１０に見せ、店舗オペレータ２１０がこの携帯端末ＩＤ１００１と表示されたものとが一致することを確認するようにしてもよい。かかる方法によっても、購入登録完了ＨＴＭＬ情報１５２０００を特定することができ、同時に決済を行うユーザと購入登録を行ったユーザの同一性を確認できる。また、ユーザ１０の操作により、携帯電話端末１が購入登録完了ＨＴＭＬ情報１５２０００を表示し、ユーザ１０が表示された購入登録完了ＨＴＭＬ情報１５２０００を店舗オペレータ２１０に示してもよい。また、ユーザ１０が携帯端末ＩＤ１００１もしくはトランザクションＩＤを口頭で店舗オペレータ２１０に伝えてもよい。
【０２８６】
このような過程を経てユーザは現金またはクレジットカード決済等により商品の代金を支払い商品を受け取る。
【０２８７】
店舗オペレータ２１０が、表示された購入登録完了情報３５００２に含まれたリンク先のＵＲＩを押すと、Ｗｅｂ情報利用手段２４２は、当該ＵＲＩと当該購入登録完了情報３５００２に含まれたトランザクションＩＤ２５２０２（＊）及び店舗コード２５２０３を含むｈｔｔｐリクエスト３６００１を、ネットワーク通信装置２６を介してネットワーク６に送出すると、ネットワーク６はｈｔｔｐリクエスト３６００１を価格管理装置３のネットワーク通信制御装置３１に送信する（ステップＳ７１）。
【０２８８】
価格管理装置３のネットワーク通信制御装置３１は、ｈｔｔｐリクエスト３６００１をＷｅｂ情報提供制御手段３２０１に与える。Ｗｅｂ情報提供制御手段３２０１は、ｈｔｔｐリクエスト３６００１に含まれるトランザクションＩＤ２５２０２（＊）及び店舗コード２５２０３を、リンク先のＵＲＩにＣＧＩ名を記述された手段、すなわち販売完了情報管理手段３２１１に与える。
【０２８９】
販売完了情報管理手段３２１１は、取引情報記憶部３３６から、与えられたトランザクションＩＤ２５２０２（＊）及び店舗コード２５２０３を含む取引情報３３６０を検索し、検索された取引情報３３６０の購入完了年月日曜日時刻３３６０１２に現在の年月日と曜日と時刻を示す情報を内部タイマーにより設定する。
【０２９０】
また、販売完了情報管理手段３２１１は、検索された取引情報３３６０に含まれた商品コード３３６００５（＊）を含む商品情報２１００（＊）を商品情報記憶部３３３から検索し、検索された商品情報２１００（＊）から商品名２１０２及び基準売価２１０４を抽出する。
【０２９１】
また、販売完了情報管理手段３２１１は、店舗情報記憶部３３１から、与えられた店舗コード２５２０３を含む店舗情報２０００を検索し、検索された店舗情報２０００から店舗名２００４を抽出する。
【０２９２】
販売完了情報管理手段３２１１は、販売登録完了ＨＴＭＬ情報１３０００を生成する。
【０２９３】
販売登録完了ＨＴＭＬ情報１３０００には、販売登録が完了したことを示す文字情報と、検索された取引情報３３６０の携帯端末ＩＤ３３６００１、トランザクションＩＤ３３６００３（＊）、店舗コード３３６００４、商品コード３３６００５（＊）、数量３３６００６（＊）、価格表示依頼年月日曜日時刻３３６００７、表示価格３３６００８（＊）、購入セッション合計金額３３６００９、購入要否フラグ保存年月日曜日時刻３３６０１１及び購入完了年月日曜日時刻３３６０１２、並びに抽出された商品名２１０２（＊）、基準売価２１０４（＊）及び店舗名２００４が含まれる。また、販売登録完了ＨＴＭＬ情報１３０００には、携帯端末ＩＤ３３６００１等に対応する文字情報等も含まれる。
【０２９４】
図３２に戻り、販売完了情報管理手段３２１１は、生成した販売登録完了ＨＴＭＬ情報１３０００をＷｅｂ情報提供制御手段３２０１に与え、Ｗｅｂ情報提供制御手段３２０１は、販売登録完了ＨＴＭＬ情報１３０００を、ネットワーク通信制御装置３１を介してｈｔｔｐレスポンスとしてネットワーク６に送出すると、ネットワーク６は販売登録完了ＨＴＭＬ情報１３０００を店舗端末２のネットワーク通信装置２６に送信する（ステップＳ６３）。
【０２９５】
店舗端末２のネットワーク通信装置２６は、販売登録完了ＨＴＭＬ情報１３０００をＷｅｂ情報利用手段２４２に与える。Ｗｅｂ情報利用手段２４２は、販売登録完了ＨＴＭＬ情報１３０００を表示装置２３に表示させる。
【０２９６】
図３６は、表示された販売登録完了ＨＴＭＬ情報１３０００を例示した図である。
【０２９７】
表示装置２３には、販売登録が完了したことを示す文字情報と、携帯端末ＩＤ３３６００１、トランザクションＩＤ３３６００３（＊）、店舗コード３３６００４、商品コード３３６００５（＊）、数量３３６００６（＊）、価格表示依頼年月日曜日時刻３３６００７、表示価格３３６００８（＊）、購入セッション合計金額３３６００９、購入要否フラグ保存年月日曜日時刻３３６０１１、購入完了年月日曜日時刻３３６０１２、商品名２１０２（＊）、基準売価２１０４（＊）、店舗名２００４並びに携帯端末ＩＤ３３６００１等に対応する文字情報等が表示される。かかる表示により店舗オペレータ２１０は、販売登録が完了したことを知ることができる。
【０２９８】
なお、上記説明した処理を実行させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。特に、携帯電話端末１や店舗端末２が実行するコンピュータプログラムは、価格管理装置３からネットワーク６やＧＷ装置４を介して送信することができる。
【０２９９】
また、フラッシュメモリなどの記憶装置、ＲＦ帯の電波等を用いた無線通信装置及び制御装置（ＣＰＵ）を組み込んだ値札を用い、値札の無線通信装置を介して店舗端末２から送信された値札情報を制御装置が記憶装置に記憶させるとともに、携帯電話端末１が値札に近づけられると、値札の制御装置が記憶装置に記憶された値札情報を読み出して無線通信装置を介して携帯電話端末１に送信するようにしてもよい。
【０３００】
以上説明したように、本実施の形態では、顧客に提示する商品の価格を、顧客情報や過去の取引情報に基づいて、個々の顧客ごとに提示することができるようになっている。
【０３０１】
さらには、「顧客の過去購入金額合計」「前回購入からの経過時間」といったような、顧客情報や過去の取引情報等に基づいた様々な価格決定パラメタの計算方法（料金を計算する上でのパラメタを顧客情報や取引情報から求める方法）を予めモジュール化しておくことで、商品が対象としているマーケットや店舗の顧客特性等に応じた価格設定を、店舗オペレータが柔軟に行う事ができるようになっている。
【０３０２】
また、商品情報と、価格決定パラメタの計算方法（料金を計算する上でのパラメタを顧客情報や取引情報から求める方法）と、料金計算方法（パラメタから料金を求める方法）とを分離して管理することができるようになっており、これにより、店舗オペレータは、例えば、登録済みの商品の料金を変更する場合には、料金計算方法のみを変更すればよく、料金変更に必要な作業が削減される。また、新しい商品を登録する場合には、商品情報と登録済みの価格決定パラメタの計算方法、料金計算方法とを結びつけることで、簡単に料金設定を行うことができる。
【０３０３】
一方、商品の価格を顧客が閲覧する上で必要な商品コードの入力は、顧客が商品に付加されたバーコードを携帯電話で読み取ればよく、また同様に価格閲覧に必要な顧客ＩＤの入力は、顧客ＩＤとして携帯端末ＩＤを用いるため、携帯電話端末により自動的に行われる。このため、顧客が価格を閲覧するために必要な労力が低減される。
【０３０４】
これらにより、店舗は、個々の顧客に応じた価格を、柔軟に、顧客が商品に興味を持ったタイミングでタイムリーに提示することを挙げることができるようになり、顧客への商品の販売機会を高めるとともに、顧客の固定化を実現することができるようになる。また、同一の商品に対して複数の価格設定を行い，商品の値ごろ感の異なる複数の顧客セグメントに対して販売することができ、店舗の売上を最大化することができる。
【図面の簡単な説明】
【０３０５】
【図１】本発明を適用されたネットワークシステムの構成図である。
【図２】携帯電話端末１の構成図である。
【図３】店舗端末２の構成図である。
【図４】価格管理装置３の構成図である。
【図５】ＧＷ装置４の構成図である。
【図６】店舗登録段階のフローチャートである。
【図７】店舗情報の構成図である。
【図８】店舗登録用ＨＴＭＬ情報３１００１を例示した図である。
【図９】表示された店舗登録用ＨＴＭＬ情報３１００１を例示した図である。
【図１０】表示された店舗登録完了ＨＴＭＬ情報３１００３を例示した図である。
【図１１】商品登録段階のフローチャートである。
【図１２】商品情報、プライスプラン情報及びバンドル商品指定情報の構成図である。
【図１３】商品登録用ＨＴＭＬ情報３２００１を例示した図である。
【図１４】表示された商品登録用ＨＴＭＬ情報３２００１を例示した図である。
【図１５】表示された商品登録完了ＨＴＭＬ情報３２００３を例示した図である。
【図１６】印刷されたバーコード値札２０１を例示した図である。
【図１７】顧客登録段階のフローチャートである。
【図１８】顧客情報の構成図である。
【図１９】顧客登録用ＨＴＭＬ情報３３００１を例示した図である。
【図２０】表示された顧客登録用ＨＴＭＬ情報３３００１を例示した図である。
【図２１】携帯端末ＩＤ１００１の送信可否問い合わせを例示した図である。
【図２２】表示された顧客登録完了ＨＴＭＬ情報３３００３を例示した図である。
【図２３】表示された顧客登録却下ＨＴＭＬ情報３３００４を例示した図である。
【図２４】商品選択価格表示段階のフローチャートである。
【図２５】端末ＩＤ取得ＨＴＭＬ情報３４００１を例示した図である。
【図２６】表示された端末ＩＤ取得ＨＴＭＬ情報３４００１を例示した図である。
【図２７】取引情報の構成図である。
【図２８】価格決定パラメタ算出方式コード２３０２の説明図である。
【図２９】レート／料金表コード２３０４（料金表）を例示した図である。
【図３０】価格表示ＨＴＭＬ情報３４００３を例示した図である。。
【図３１】表示された価格表示ＨＴＭＬ情報３４００３を例示した図である。
【図３２】商品購入登録段階のフローチャートである。
【図３３】購入登録完了情報３５００２を例示した図である。
【図３４】表示された購入登録完了ＨＴＭＬ情報１５２０００を例示した図である。
【図３５】表示された削除完了ＨＴＭＬ情報１５２１００を例示した図である。
【図３６】表示された販売登録完了ＨＴＭＬ情報１３０００を例示した図である。
【符号の説明】
【０３０６】
１…携帯電話端末
２…店舗端末
３…価格管理装置
４…ＧＷ装置
６…ネットワーク
１０…ユーザ
１１…カメラ
１２…入力装置
１３…表示装置
１４…データ処理装置
１５…記憶装置
１６…無線ネットワーク通信装置
１７…ローカル通信制御装置
２０…店舗
２１…バーコード印刷装置
２２…入力装置
２３…表示装置
２４…データ処理装置
２５…記憶装置
２６…ネットワーク通信装置
２７…ローカル通信制御装置
３１…ネットワーク通信制御装置
３２…データ処理装置
３３…記憶装置
４１…データ処理装置
４２…無線ネットワーク通信装置
４３…ネットワーク通信制御装置
１４１…バーコード解析部
１４２…Ｗｅｂ情報利用手段
１５１…携帯端末ＩＤ記憶部
１５２…受信情報記憶部
１５３…アドレス記憶部
２００…商品
２０１…バーコード値札
２１０…店舗オペレータ
２４１…バーコード作成手段
２４２…Ｗｅｂ情報利用手段
２４３…メール情報利用手段
２４４…ユーザローカル認証手段
２５１…値札情報記憶部
２５２…ユーザローカル認証情報記憶部
３３１…店舗情報記憶部
３３２…顧客情報記憶部
３３３…商品情報記憶部
３３４…プライスプラン記憶部
３３５…バンドル商品指定情報記憶部
３３６…取引情報記憶部
４１１…中継手段
１０００…顧客情報
１００１…携帯端末ＩＤ
１００２…ユーザＩＤ
１００３…パスワード
１００４…氏名
１００５…郵便番号
１００６…現住所
１００７…電話番号
１００８…携帯電話番号
１００９…メールアドレス
１０１０…生年月日
１０１１…性別
２０００…店舗情報
２００１…店舗コード
２００２…店舗メールアドレス
２００３…店舗郵便番号
２００４…店舗名
２１００…商品情報
２１０１…商品コード
２１０２…商品名
２１０３…商品カテゴリコード
２１０４…基準売価
２１０５…プライスプランコード
２２００…値札情報
２３００…プライスプラン情報
２３０１…プライスプランコード
２３０２…価格決定パラメタ算出方式コード
２３０３…料金計算方式フラグ
２３０４…レート／料金表コード
２４００…バンドル商品指定情報
２４０１…バンドル商品コード
３２０１…Ｗｅｂ情報提供制御手段
３２０２…メール情報提供制御手段
３２０３…店舗情報管理手段
３２０４…顧客情報管理手段
３２０５…商品情報管理手段
３２０６…プライスプラン管理手段
３２０７…携帯端末認証手段
３２０８…ユーザ認証手段
３２０９…価格決定手段
３２１０…販売情報管理手段
３２１１…販売完了情報管理手段
３３６０…取引情報
４０００…ｈｔｔｐリクエスト
４１０１…店舗コード
４１０２…商品コード
４１０３…トランザクションＩＤ
４１０４…携帯端末ＩＤ
４１０５…購入予定数量
４１０６…表示価格
４１０７…合計表示価格
４１０８…商品名
４２０１…店舗コード
４２０２…商品コード
４２０３…トランザクションＩＤ
４２０４…購入要否フラグ
１３０００…販売登録完了ＨＴＭＬ情報情報
１５２０１…トランザクションＩＤ
１５２０２…店舗コード
１５２０３…商品コード
１５２０３…店舗コード
１５２０４…数量
１５２０５…表示価格
１５２０６…購入セッション合計金額
１５２０７…商品名
１５２０８…店舗名
２５２０１…携帯端末ＩＤ
２５２０２…トランザクションＩＤ
２５２０３…店舗コード
２５２０４…商品コード
２５２０５…数量
２５２０６…価格表示依頼年月日曜日時刻
２５２０７…表示価格
２５２０８…購入セッション合計金額
２５２０９…購入要否フラグ保存年月日曜日時刻
２５２１１…商品名
２５２１２…基準売価
２５２１３…店舗名
３１００１…店舗登録用ＨＴＭＬ情報
３１００２…ｈｔｔｐリクエスト
３１００３…店舗登録完了ＨＴＭＬ情報
３２００１…商品登録用ＨＴＭＬ情報
３２００２…ｈｔｔｐリクエスト
３２００３…商品登録完了ＨＴＭＬ情報
３３００１…顧客登録用ＨＴＭＬ情報
３３００２…ｈｔｔｐリクエスト
３３００３…顧客登録完了ＨＴＭＬ情報
３３００４…顧客登録却下ＨＴＭＬ情報
３４００１…端末ＩＤ取得ＨＴＭＬ情報
３４００２…ｈｔｔｐリクエスト
３４００３…価格表示ＨＴＭＬ情報
３５００１…ｈｔｔｐリクエスト
３５００２…購入登録完了情報
３６００１…ｈｔｔｐリクエスト
３６００９…購入セッション合計金額
４１０６０…価格決定パラメタ
１５２０００…購入登録完了ＨＴＭＬ情報
１５２１００…削除完了ＨＴＭＬ情報
３３６００１…携帯端末ＩＤ
３３６００２…ユーザＩＤ
３３６００３…トランザクションＩＤ
３３６００４…店舗コード
３３６００５…商品コード
３３６００５Ａ…商品カテゴリコード
３３６００６…数量
３３６００７…価格表示依頼年月日曜日時刻
３３６００８…表示価格
３３６００９…購入セッション合計金額
３３６０１０…購入要否フラグ
３３６０１１…購入要否フラグ保存年月日曜日時刻
３３６０１２…購入完了年月日曜日時刻
【図１】
2005063365.tif 000003
【図２】
2005063365.tif 000004
【図３】
2005063365.tif 000005
【図４】
2005063365.tif 000006
【図５】
2005063365.tif 000007
【図６】
2005063365.tif 000008
【図７】
2005063365.tif 000009
【図８】
2005063365.tif 000010
【図９】
2005063365.tif 000011
【図１０】
2005063365.tif 000012
【図１１】
2005063365.tif 000013
【図１２】
2005063365.tif 000014
【図１３】
2005063365.tif 000015
【図１４】
2005063365.tif 000016
【図１５】
2005063365.tif 000017
【図１６】
2005063365.tif 000018
【図１７】
2005063365.tif 000019
【図１８】
2005063365.tif 000020
【図１９】
2005063365.tif 000021
【図２０】
2005063365.tif 000022
【図２１】
2005063365.tif 000023
【図２２】
2005063365.tif 000024
【図２３】
2005063365.tif 000025
【図２４】
2005063365.tif 000026
【図２５】
2005063365.tif 000027
【図２６】
2005063365.tif 000028
【図２７】
2005063365.tif 000029
【図２８】
2005063365.tif 000030
【図２９】
2005063365.tif 000031
【図３０】
2005063365.tif 000032
【図３１】
2005063365.tif 000033
【図３２】
2005063365.tif 000034
【図３３】
2005063365.tif 000035
【図３４】
2005063365.tif 000036
【図３５】
2005063365.tif 000037
【図３６】
2005063365.tif 000038